(57)【要約】  ワイヤレス通信のための技法について説明する。1つの方法は、第1のワイヤレスノードと第2のワイヤレスノードとの間で1つまたは複数の信号を交換するステップと、第1のワイヤレスノードにおいて、1つまたは複数の信号に少なくとも部分的に基づいて、第1のワイヤレスノードの送信ビームおよび第1のワイヤレスノードの受信ビームのうちの少なくとも1つの間の対応の範囲を決定するステップとを含む。
2019533948.tif 000002
【特許請求の範囲】
【請求項１】
ワイヤレス通信のための方法であって、
第1のワイヤレスノードと第2のワイヤレスノードとの間で1つまたは複数の信号を交換するステップと、
前記第1のワイヤレスノードにおいて、前記1つまたは複数の信号に少なくとも部分的に基づいて、前記第1のワイヤレスノードの送信ビームおよび前記第1のワイヤレスノードの受信ビームのうちの少なくとも1つの間の対応の範囲を決定するステップと
を含む方法。
【請求項２】
対応の前記範囲は、全対応、部分的な対応、または対応なしを含む、請求項1に記載の方法。
【請求項３】
前記第2のワイヤレスノードの送信ビームと前記第2のワイヤレスノードの受信ビームとの間の対応の範囲を決定するステップ
をさらに含む、請求項1に記載の方法。
【請求項４】
前記第1のワイヤレスノードと前記第2のワイヤレスノードとの間で1つまたは複数の信号を交換するステップは、
前記第2のワイヤレスノードから、前記第2のワイヤレスノードの送信経路および受信経路に関連する較正値の範囲を示す信号を受信するステップ
を含む、請求項1に記載の方法。
【請求項５】
前記第2のワイヤレスノードの送信ビームと前記第2のワイヤレスノードの受信ビームとの間の対応の範囲を決定するために較正値の前記範囲を使用するステップ
をさらに含む、請求項4に記載の方法。
【請求項６】
較正値の前記範囲は、アンテナ重みの振幅誤差の範囲、アンテナ重みの位相誤差の範囲、またはそれらの組合せのうちの少なくとも1つを含む、請求項4に記載の方法。
【請求項７】
較正値の前記範囲は少なくとも、前記送信経路および前記受信経路に関連するアンテナ重みの振幅誤差の間の差、前記送信経路および前記受信経路に関連するアンテナ重みの位相誤差の間の差、またはそれらの組合せを含む、請求項4に記載の方法。
【請求項８】
前記第1のワイヤレスノードと前記第2のワイヤレスノードとの間で1つまたは複数の信号を交換するステップは、
前記第2のワイヤレスノードから、前記第1のワイヤレスノードの前記送信ビームおよび前記第2のワイヤレスノードの受信ビームを含むダウンリンクビームペア上での送信のダウンリンク品質を示す信号を受信するステップと、
前記第1のワイヤレスノードにおいて、前記第2のワイヤレスノードの送信ビームおよび前記第1のワイヤレスノードの前記受信ビームを含むアップリンクビームペア上での送信のアップリンク品質を決定するステップと
を含む、請求項1に記載の方法。
【請求項９】
前記第1のワイヤレスノードおよび前記第2のワイヤレスノードは、前記送信ビームおよび前記受信ビームに対して同様のビーム形状を適用する、請求項8に記載の方法。
【請求項１０】
前記同様のビーム形状は、前記送信ビームおよび前記受信ビームがアンテナ素子、またはビーム幅、または同じ方向への向き、またはそれらの組合せの同じセットを使用することを示す、請求項9に記載の方法。
【請求項１１】
前記第2のワイヤレスノードの前記送信ビームと前記第2のワイヤレスノードの前記受信ビームとの間の対応の前記範囲を決定するために前記ダウンリンク品質および前記アップリンク品質を使用するステップ
をさらに含む、請求項8に記載の方法。
【請求項１２】
前記ダウンリンク品質を示す前記信号を受信するステップは、
前記ダウンリンクビームペア上での前記送信の基準信号受信電力(RSRP)、または基準信号受信品質(RSRQ)、または信号対雑音比(SNR)、または信号対干渉雑音比(SINR)、またはチャネル品質インジケータ(CQI)、または受信信号強度インジケータ(RSSI)、またはそれらの組合せのうちの少なくとも1つの指示を受信するステップ
を含む、請求項8に記載の方法。
【請求項１３】
前記アップリンク品質を決定するステップは、
前記アップリンクビームペア上での前記送信の基準信号受信電力(RSRP)、または基準信号受信品質(RSRQ)、または信号対雑音比(SNR)、または信号対干渉雑音比(SINR)、またはチャネル品質インジケータ(CQI)または受信信号強度インジケータ(RSSI)、またはそれらの組合せのうちの少なくとも1つを決定するステップ
を含む、請求項8に記載の方法。
【請求項１４】
前記第1のワイヤレスノードの前記送信ビームは、前記第1のワイヤレスノードの他の送信ビームよりも高い品質に関連付けられ、前記第1のワイヤレスノードの前記受信ビームは、前記第1のワイヤレスノードの他の受信ビームよりも高い品質に関連付けられる、請求項1に記載の方法。
【請求項１５】
対応の前記範囲を決定するステップは、
前記第1のワイヤレスノードの前記送信ビームおよび前記第1のワイヤレスノードの前記受信ビームのインデックスの間の差を決定するステップと、
前記決定された差に基づいてビームマッピングのための不確実性領域を決定するステップと
を含む、請求項14に記載の方法。
【請求項１６】
対応の前記範囲は、前記不確実性領域の広さに対応する、請求項15に記載の方法。
【請求項１７】
前記第2のワイヤレスノードの受信ビームおよび前記第2のワイヤレスノードの送信ビームのインデックスの間の差を決定するステップ
をさらに含む、請求項15に記載の方法。
【請求項１８】
1つまたは複数の信号を交換するステップは、
前記第2のワイヤレスノードから、前記第2のワイヤレスノードの送信ビームと前記第2のワイヤレスノードの受信ビームとの間の対応の範囲の指示を受信するステップ
を含む、請求項1に記載の方法。
【請求項１９】
前記第2のワイヤレスノードの前記送信ビームと前記第2のワイヤレスノードの前記受信ビームとの間の対応の前記範囲の前記指示を受信するステップは、
物理ブロードキャストチャネル(PBCH)、拡張物理ブロードキャストチャネル(ePBCH)、ランダムアクセスチャネル(RACH)メッセージ、物理ダウンリンク制御チャネル(PDCCH)、物理アップリンク制御チャネル(PUCCH)、物理アップリンク共有チャネル(PUSCH)、無線リソース制御(RRC)メッセージ、マスタ情報ブロック(MIB)、またはシステム情報ブロック(SIB)において前記指示を受信するステップ
を含む、請求項18に記載の方法。
【請求項２０】
前記第2のワイヤレスノードの前記送信ビームと前記第2のワイヤレスノードの前記受信ビームとの間の対応の前記範囲の前記指示を受信するステップは、
ハンドオーバ手順の一部として前記指示を受信するステップ
を含む、請求項18に記載の方法。
【請求項２１】
対応の前記範囲およびトリガリングイベントに少なくとも部分的に基づいて実行されるべきビーム掃引の範囲を決定するステップ
をさらに含む、請求項1に記載の方法。
【請求項２２】
前記トリガリングイベントは、持続時間がしきい値を上回る不連続受信(DRX)サイクルから接続モードで立ち上がることを含む、請求項21に記載の方法。
【請求項２３】
前記トリガリングイベントは、送信または受信サブアレイの変更を含む、請求項21に記載の方法。
【請求項２４】
複数の同時通信リンクの各々に関して実行されるべきビーム掃引の範囲が異なる、請求項21に記載の方法。
【請求項２５】
システムにおけるワイヤレス通信のための装置であって、
プロセッサと、
前記プロセッサと電子通信しているメモリと、
前記メモリに記憶され、前記プロセッサによって実行されると、
第1のワイヤレスノードと第2のワイヤレスノードとの間で1つまたは複数の信号を交換することと、
前記第1のワイヤレスノードにおいて、前記1つまたは複数の信号に少なくとも部分的に基づいて、前記第1のワイヤレスノードの送信ビームおよび前記第1のワイヤレスノードの受信ビームのうちの少なくとも1つの間の対応の範囲を決定することと
を前記装置に行わせるように動作可能な命令と
を含む装置。
【請求項２６】
ワイヤレス通信のための装置であって、
第1のワイヤレスノードと第2のワイヤレスノードとの間で1つまたは複数の信号を交換するための手段と、
前記第1のワイヤレスノードにおいて、前記1つまたは複数の信号に少なくとも部分的に基づいて、前記第1のワイヤレスノードの送信ビームおよび前記第1のワイヤレスノードの受信ビームのうちの少なくとも1つの間の対応の範囲を決定するための手段と
を含む装置。
【請求項２７】
対応の前記範囲は、全対応、部分的な対応、または対応なしを含む、請求項26に記載の装置。
【請求項２８】
前記第2のワイヤレスノードの送信ビームと前記第2のワイヤレスノードの受信ビームとの間の対応の範囲を決定するための手段
をさらに含む、請求項26に記載の装置。
【請求項２９】
前記第2のワイヤレスノードから、前記第2のワイヤレスノードの送信経路および受信経路に関連する較正値の範囲を示す信号を受信するための手段
をさらに含む、請求項26に記載の装置。
【請求項３０】
ワイヤレス通信のためのコードを記憶した非一時的コンピュータ可読記憶媒体であって、前記コードは、
第1のワイヤレスノードと第2のワイヤレスノードとの間で1つまたは複数の信号を交換することと、
前記第1のワイヤレスノードにおいて、前記1つまたは複数の信号に少なくとも部分的に基づいて、前記第1のワイヤレスノードの送信ビームおよび前記第1のワイヤレスノードの受信ビームのうちの少なくとも1つの間の対応の範囲を決定することと
を行うようにプロセッサによって実行可能な命令を含む、非一時的コンピュータ可読記憶媒体。
【発明の詳細な説明】
【技術分野】
【０００１】
相互参照
本特許出願は、各々が本出願の譲受人に譲渡された、2017年7月31日に出願された「Indicating A Range Of Beam Correspondence In A Wireless Node」という名称のIslam他による米国特許出願第15/664,499号、および2016年11月4日に出願された「Indicating A Level of Beam Reciprocity In A Wireless Node」という名称のIslam他による米国仮特許出願第62/418,048号の優先権を主張する。
【０００２】
以下は、一般に、ワイヤレス通信に関し、より詳細には、ワイヤレスノード間のビーム対応の範囲を決定し示すことに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能な多元接続システムであり得る。そのような多元接続システムの例としては、符号分割多元接続(CDMA)システム、時分割多元接続(TDMA)システム、周波数分割多元接続(FDMA)システム、および直交周波数分割多元接続(OFDMA)システムが含まれる。
【０００４】
例として、ワイヤレス多元接続通信システムは、各々が、場合によってはユーザ機器(UE)として知られる、複数の通信デバイスとの通信を同時にサポートする、いくつかの基地局を含み得る。基地局は、(たとえば、基地局からUEへの送信のための)ダウンリンク(DL)チャネルおよび(たとえば、UEから基地局への送信のための)アップリンク(UL)チャネル上でUEと通信し得る。
【０００５】
ワイヤレス通信システムは、ミリメートル波(mmW)周波数範囲、たとえば、28GHz、40GHz、60GHzなどにおいて動作し得る。これらの周波数におけるワイヤレス通信は、増大する信号減衰(たとえば、経路損失)に関連付けられ得、増大する信号減衰は、温度、気圧、回折など、様々な要因によって影響を受けることがある。その結果、ビームフォーミングなどの信号処理技法が、エネルギーをコヒーレントに組み合わせてこれらの周波数における経路損失を克服するために使用され得る。mmW通信システムにおける経路損失量の増加により、基地局および/またはUEからの送信がビームフォーミングされる場合がある。
【０００６】
2つのワイヤレスノードの間、たとえば、基地局とUEとの間のワイヤレス通信は、送信および/または受信のためにビームまたはビームフォーミングされた信号を使用し得る。基地局は、基地局に関連するDLビーム上で、ビームフォーミングされた信号を送信し得る。UEは、UEに関連する1つまたは複数のDLビーム上で信号を受信し得る。基地局とUEとの間のDL通信に使用される基地局に関連するDLビームおよびUEに関連するDLビームは、DLビームペアを構成する。同様に、UEは、UEに関連するULビーム上で、ビームフォーミングされた信号を送信し得る。基地局は、基地局に関連する1つまたは複数のULビーム上で信号を受信し得る。UEと基地局との間のUL通信に使用されるUEに関連するULビームおよび基地局に関連するULビームは、ULビームペアを構成する。いくつかの事例では、DLビームペアおよびULビームペアは同じであり得る(たとえば、同じビームペアを表し得る)。他の事例では、DLビームペアとULビームペアとの間に差が存在し得る。
【発明の概要】
【課題を解決するための手段】
【０００７】
ワイヤレス通信システムのいくつかの例は、ワイヤレスノード間のビーム対応の範囲(ビーム相反性(reciprocity)のレベル)を決定し示すことをサポートする。たとえば、送信ワイヤレスノード(たとえば、発展型ノードB(eNB))からの1つまたは複数のビームを介したダウンリンク(DL)送信が、受信ワイヤレスノード(たとえば、ユーザ機器(UE))のための対応するDL受信ビームを識別するために使用され得る。DL送信ビームおよびDL受信ビームは、ワイヤレスノードのためのビームペア(たとえば、DLビームペア)として識別され得る。ワイヤレスノードの一方または両方に関して対応のレベルが決定され得る。
【０００８】
たとえば、第2のワイヤレスノード(たとえば、受信ワイヤレスノード)と通信するときに、第1のワイヤレスノード(たとえば、送信ワイヤレスノード)のDL送信ビームとアップリンク(UL)受信ビームとの間で対応のレベルが決定され得る。同様に、第1のワイヤレスノードと通信するときに、第2のワイヤレスノードのDL受信ビームとUL送信ビームとの間で対応のレベルが決定され得る。ワイヤレスノードが送信ビームと受信ビームとの間の対応のレベルを決定すると、これらのビームは、他のワイヤレスノードと通信するために使用され得る。たとえば、UL通信のためのビームペアを識別するためにDLビームトレーニング情報(たとえば、ビームペア)が使用され得るように、対応のレベルが示され得る。
【０００９】
ワイヤレス通信の方法について説明する。本方法は、第1のワイヤレスノードと第2のワイヤレスノードとの間で1つまたは複数の信号を交換するステップと、第1のワイヤレスノードにおいて、1つまたは複数の信号に少なくとも部分的に基づいて、第1のワイヤレスノードの送信ビームおよび第1のワイヤレスノードの受信ビームのうちの少なくとも1つの間の対応の範囲を決定するステップとを含み得る。
【００１０】
ワイヤレス通信のための装置について説明する。本装置は、第1のワイヤレスノードと第2のワイヤレスノードとの間で1つまたは複数の信号を交換するための手段と、第1のワイヤレスノードにおいて、1つまたは複数の信号に少なくとも部分的に基づいて、第1のワイヤレスノードの送信ビームおよび第1のワイヤレスノードの受信ビームのうちの少なくとも1つの間の対応の範囲を決定するための手段とを含み得る。
【００１１】
ワイヤレス通信のための別の装置について説明する。本装置は、プロセッサと、プロセッサと電子通信しているメモリと、メモリに記憶された命令とを含み得る。命令は、第1のワイヤレスノードと第2のワイヤレスノードとの間で1つまたは複数の信号を交換することと、第1のワイヤレスノードにおいて、1つまたは複数の信号に少なくとも部分的に基づいて、第1のワイヤレスノードの送信ビームおよび第1のワイヤレスノードの受信ビームのうちの少なくとも1つの間の対応の範囲を決定することとをプロセッサに行わせるように動作可能であり得る。
【００１２】
ワイヤレス通信のための非一時的コンピュータ可読媒体について説明する。非一時的コンピュータ可読媒体は、第1のワイヤレスノードと第2のワイヤレスノードとの間で1つまたは複数の信号を交換することと、第1のワイヤレスノードにおいて、1つまたは複数の信号に少なくとも部分的に基づいて、第1のワイヤレスノードの送信ビームおよび第1のワイヤレスノードの受信ビームのうちの少なくとも1つの間の対応の範囲を決定することとをプロセッサに行わせるように動作可能な命令を含み得る。
【００１３】
上記で説明した方法、装置、および非一時的コンピュータ可読媒体のいくつかの例では、対応の範囲は、全対応、部分的な対応、または対応なしを含む。上記で説明した方法、装置、および非一時的コンピュータ可読媒体のいくつかの例は、第2のワイヤレスノードの送信ビームと第2のワイヤレスノードの受信ビームとの間の対応の範囲を決定するためのプロセス、特徴、手段、または命令をさらに含み得る。
【００１４】
上記で説明した方法、装置、および非一時的コンピュータ可読媒体のいくつかの例では、第1のワイヤレスノードと第2のワイヤレスノードとの間で1つまたは複数の信号を交換することは、第2のワイヤレスノードから、第2のワイヤレスノードの送信経路および受信経路に関連する較正値の範囲を示す信号を受信することを含む。上記で説明した方法、装置、および非一時的コンピュータ可読媒体のいくつかの例は、第2のワイヤレスノードの送信ビームと第2のワイヤレスノードの受信ビームとの間の対応の範囲を決定するために較正値の範囲を使用するためのプロセス、特徴、手段、または命令をさらに含み得る。
【００１５】
上記で説明した方法、装置、および非一時的コンピュータ可読媒体のいくつかの例では、較正値の範囲は、アンテナ重みの振幅誤差の範囲、アンテナ重みの位相誤差の範囲、またはそれらの組合せのうちの少なくとも1つを含む。上記で説明した方法、装置、および非一時的コンピュータ可読媒体のいくつかの例では、較正値の範囲は少なくとも、送信経路および受信経路に関連するアンテナ重みの振幅誤差の間の差、送信経路および受信経路に関連するアンテナ重みの位相誤差の間の差、またはそれらの組合せを含む。
【００１６】
上記で説明した方法、装置、および非一時的コンピュータ可読媒体のいくつかの例では、第1のワイヤレスノードと第2のワイヤレスノードとの間で1つまたは複数の信号を交換することは、第2のワイヤレスノードから、第1のワイヤレスノードの送信ビームおよび第2のワイヤレスノードの受信ビームを含むダウンリンクビームペア上での送信のダウンリンク品質を示す信号を受信することを含む。上記で説明した方法、装置、および非一時的コンピュータ可読媒体のいくつかの例は、第1のワイヤレスノードにおいて、第2のワイヤレスノードの送信ビームおよび第1のワイヤレスノードの受信ビームを含むアップリンクビームペア上での送信のアップリンク品質を決定するためのプロセス、特徴、手段、または命令をさらに含み得る。
【００１７】
上記で説明した方法、装置、および非一時的コンピュータ可読媒体のいくつかの例では、第1のワイヤレスノードおよび第2のワイヤレスノードは、送信ビームおよび受信ビームに対して同様のビーム形状を適用し得る。上記で説明した方法、装置、および非一時的コンピュータ可読媒体のいくつかの例では、同様のビーム形状は、送信ビームおよび受信ビームがアンテナ素子、またはビーム幅、または同じ方向への向き、またはそれらの組合せの同じセットを使用することを示す。上記で説明した方法、装置、および非一時的コンピュータ可読媒体のいくつかの例は、第2のワイヤレスノードの送信ビームと第2のワイヤレスノードの受信ビームとの間の対応の範囲を決定するためにダウンリンク品質およびアップリンク品質を使用するためのプロセス、特徴、手段、または命令をさらに含み得る。
【００１８】
上記で説明した方法、装置、および非一時的コンピュータ可読媒体のいくつかの例では、ダウンリンク品質を示す信号を受信することは、ダウンリンクビームペア上での送信の基準信号受信電力(RSRP)、または基準信号受信品質(RSRQ)、または信号対雑音比(SNR)、または信号対干渉雑音比(SINR)、またはチャネル品質インジケータ(CQI)、または受信信号強度インジケータ(RSSI)、またはそれらの組合せのうちの少なくとも1つの指示を受信することを含む。上記で説明した方法、装置、および非一時的コンピュータ可読媒体のいくつかの例では、アップリンク品質を決定することは、アップリンクビームペア上での送信のRSRP、またはRSRQ、またはSNR、またはSINR、またはCQIまたはRSSI、またはそれらの組合せのうちの少なくとも1つを決定することを含む。
【００１９】
上記で説明した方法、装置、および非一時的コンピュータ可読媒体のいくつかの例では、第1のワイヤレスノードの送信ビームは、第1のワイヤレスノードの他の送信ビームよりも高い品質に関連付けられることがあり、第1のワイヤレスノードの受信ビームは、第1のワイヤレスノードの他の受信ビームよりも高い品質に関連付けられることがある。上記で説明した方法、装置、および非一時的コンピュータ可読媒体のいくつかの例では、対応の範囲を決定することは、第1のワイヤレスノードの送信ビームおよび第1のワイヤレスノードの受信ビームのインデックスの間の差を決定することをさらに含む。
【００２０】
上記で説明した方法、装置、および非一時的コンピュータ可読媒体のいくつかの例は、決定された差に基づいてビームマッピングのための不確実性領域を決定するためのプロセス、特徴、手段、または命令をさらに含み得る。上記で説明した方法、装置、および非一時的コンピュータ可読媒体のいくつかの例では、対応の範囲は、不確実性領域の広さに対応する。上記で説明した方法、装置、および非一時的コンピュータ可読媒体のいくつかの例は、第2のワイヤレスノードの受信ビームおよび第2のワイヤレスノードの送信ビームのインデックスの間の差を決定するためのプロセス、特徴、手段、または命令をさらに含み得る。
【００２１】
上記で説明した方法、装置、および非一時的コンピュータ可読媒体のいくつかの例では、1つまたは複数の信号を交換することは、第2のワイヤレスノードから、第2のワイヤレスノードの送信ビームと第2のワイヤレスノードの受信ビームとの間の対応の範囲の指示を受信することを含む。上記で説明した方法、装置、および非一時的コンピュータ可読媒体のいくつかの例では、第2のワイヤレスノードの送信ビームと第2のワイヤレスノードの受信ビームとの間の対応の範囲の指示を受信することは、物理ブロードキャストチャネル(PBCH)、拡張物理ブロードキャストチャネル(ePBCH)、ランダムアクセスチャネル(RACH)メッセージ、物理ダウンリンク制御チャネル(PDCCH)、物理アップリンク制御チャネル(PUCCH)、物理アップリンク共有チャネル(PUSCH)、無線リソース制御(RRC)メッセージ、マスタ情報ブロック(MIB)、またはシステム情報ブロック(SIB)において指示を受信することを含む。
【００２２】
上記で説明した方法、装置、および非一時的コンピュータ可読媒体のいくつかの例では、第2のワイヤレスノードの送信ビームと第2のワイヤレスノードの受信ビームとの間の対応の範囲の指示を受信することは、ハンドオーバ手順の一部として指示を受信することを含む。上記で説明した方法、装置、および非一時的コンピュータ可読媒体のいくつかの例では、ハンドオーバ手順は、後方ハンドオーバ手順または前方ハンドオーバ手順のいずれかである。
【００２３】
上記で説明した方法、装置、および非一時的コンピュータ可読媒体のいくつかの例は、対応の範囲およびトリガリングイベントに少なくとも部分的に基づいて実行されるべきビーム掃引の範囲を決定するためのプロセス、特徴、手段、または命令をさらに含み得る。上記で説明した方法、装置、および非一時的コンピュータ可読媒体のいくつかの例では、複数の同時通信リンクの各々に関して実行されるべきビーム掃引の範囲が異なり得る。
【００２４】
上記で説明した方法、装置、および非一時的コンピュータ可読媒体のいくつかの例では、トリガリングイベントは、持続時間がしきい値を上回る不連続受信(DRX)サイクルから接続モードで立ち上がることを含む。上記で説明した方法、装置、および非一時的コンピュータ可読媒体のいくつかの例では、トリガリングイベントは、送信または受信サブアレイの変更を含む。上記で説明した方法、装置、および非一時的コンピュータ可読媒体のいくつかの例では、トリガリングイベントは、第1のワイヤレスノードまたは第2のワイヤレスノードのいずれかの温度がしきい値を超えて変化していることを識別することを含む。
【００２５】
本発明の性質および利点のさらなる理解は、以下の図面を参照することによって実現され得る。添付の図では、同様の構成要素または特徴は、同じ参照ラベルを有する場合がある。さらに、同じタイプの様々な構成要素は、参照ラベルの後に、ダッシュと、同様の構成要素の間で区別する第2のラベルとを続けることによって区別される場合がある。第1の参照ラベルのみが本明細書で使用される場合、説明は、第2の参照ラベルにかかわらず、同じ第1の参照ラベルを有する同様の構成要素のうちのいずれか1つに適用可能である。
【図面の簡単な説明】
【００２６】
【図１】本開示の様々な態様による、ビーム対応の範囲を決定し示すことをサポートするワイヤレス通信システムのブロック図である。
【図２】本開示の様々な態様による、ビーム対応の範囲を決定し示すことをサポートするワイヤレス通信システムの例を示す図である。
【図３】本開示の様々な態様による、ビーム対応の範囲を決定し示すことをサポートするワイヤレス通信システムの例を示す図である。
【図４Ａ】本開示の様々な態様による、ビーム対応の範囲を決定し示すことをサポートするプロセスフローの例を示す図である。
【図４Ｂ】本開示の様々な態様による、ビーム対応の範囲を決定し示すことをサポートするプロセスフローの例を示す図である。
【図４Ｃ】本開示の様々な態様による、ビーム対応の範囲を決定し示すことをサポートするプロセスフローの例を示す図である。
【図５】本開示の様々な態様による、ビーム対応の範囲を決定し示すことをサポートするワイヤレス通信において使用するように構成されたワイヤレスデバイスのブロック図である。
【図６】本開示の様々な態様による、ビーム対応の範囲を決定し示すことをサポートするワイヤレス通信において使用するように構成されたワイヤレスデバイスのブロック図である。
【図７】本開示の様々な態様による、ビーム対応の範囲を決定し示すことをサポートするワイヤレス通信システムのブロック図である。
【図８】本開示の様々な態様による、ビーム対応の範囲を決定し示すことをサポートするワイヤレス通信において使用する装置のブロック図である。
【図９】本開示の様々な態様による、ビーム対応の範囲を決定し示すことをサポートするワイヤレス通信において使用する装置のブロック図である。
【図１０】本開示の様々な態様による、ビーム対応の範囲を決定し示すことをサポートする方法を示す図である。
【図１１】本開示の様々な態様による、ビーム対応の範囲を決定し示すことをサポートする方法を示す図である。
【図１２】本開示の様々な態様による、ビーム対応の範囲を決定し示すことをサポートする方法を示す図である。
【図１３】本開示の様々な態様による、ビーム対応の範囲を決定し示すことをサポートする方法を示す図である。
【図１４】本開示の様々な態様による、ビーム対応の範囲を決定し示すことをサポートする方法を示す図である。
【発明を実施するための形態】
【００２７】
ワイヤレス通信システムのいくつかの例は、ワイヤレスノード間のビーム対応(beam correspondence)の範囲(たとえば、ビーム相反性の範囲のレベル)を決定することと示すことの両方をサポートする。送信ワイヤレスノード(たとえば、発展型ノードB(eNB))からの1つまたは複数のビームを介したダウンリンク(DL)送信が、受信ワイヤレスノード(たとえば、ユーザ機器(UE))のための対応するDL受信ビームを識別するために使用され得る。DL送信ビームおよびDL受信ビームは、ワイヤレスノードのためのビームペアとして識別され得る。加えて、ビーム対応のレベルが存在する場合、アップリンク(UL)のためのビームペアを識別するためにDLビームトレーニング情報(たとえば、ビームペア)が使用され得る。代替または追加として、送信ワイヤレスノード(たとえば、UE)からの1つまたは複数のビームを介したUL送信が、受信ワイヤレスノード(たとえば、eNB)のためのUL受信ビームを識別するために使用され得る。
【００２８】
場合によっては、ワイヤレスノード間のビーム対応のレベルが存在する場合、ワイヤレスノードは、ビームペア(すなわち、送信ビームおよび受信ビーム)を識別するためにビーム掃引を実行するのを回避し得る。だが、いくつかの例では、ビーム対応のレベルがしきい値を下回ることがあり、ワイヤレスノードが、ワイヤレスノードのためのビームペア(すなわち、送信/受信ビーム)を識別するために(たとえば、複数のビーム、複数のビームのサブセットなどの)少なくとも部分的なビーム掃引を実行することがある。いくつかの例では、単一のノードにおいてULおよびDLビームに関して対応のレベルが存在することがあり、これらのビームは、他のワイヤレスノードとの通信に利用され得る。
【００２９】
ワイヤレスノード間のビーム対応のレベルを決定することは、いくつかの例では、1つまたは複数の条件に基づき得る。ある場合には、ビーム対応の条件は、第1のワイヤレスノード(たとえば、eNB)が、第1のワイヤレスノードからの1つまたは複数の送信ビームに関する第2のワイヤレスデバイス(たとえば、UE)のDL測定に基づいて、UL受信ビームのための受信ビームを決定することを含み得る。追加または代替として、場合によっては、条件は、第1のワイヤレスノード(たとえば、eNB)が、第2のワイヤレスノードからの1つまたは複数のビームの送信に関連するUL測定に基づいて、DL送信のための送信ビームを決定することを含み得る。場合によっては、ワイヤレスノード(たとえば、UE)が、加えて、異なるワイヤレスノード(たとえば、eNB)からのDL送信に関連する1つまたは複数の受信ビームを測定することに基づいて、UL送信のための送信ビームを決定し得る。追加または代替として、ワイヤレスノードが、ベースビームを識別するDL送信ビームにおける指示に基づいて、DLのための受信ビームを決定し得る。その結果、ワイヤレスノードは、指示に基づいてDL受信ビームを決定し得る。
【００３０】
上で提起した本開示の態様が、ワイヤレス通信システムの文脈において以下で説明される。次いで、1つまたは複数のワイヤレスノードのための受信ビームおよび送信ビームを決定するために使用されるシグナリング交換などの様々な例について説明する。本開示の態様は、さらに、ワイヤレスノード間のビーム対応の範囲(たとえば、ビーム相反性の範囲のレベル)を決定し示すことに関係する装置図、システム図、プロセスフロー、およびフローチャートによって示され、それらを参照しながら説明される。
【００３１】
図1は、本開示の様々な態様による、ビーム対応の範囲を決定し示すことをサポートするワイヤレス通信システム100のブロック図を示す。ワイヤレス通信システム100は、基地局105、UE115、およびコアネットワーク130を含む。コアネットワーク130は、ユーザ認証、アクセス許可、トラッキング、インターネットプロトコル(IP)接続、および他のアクセス機能、ルーティング機能、またはモビリティ機能を提供し得る。基地局105は、バックホールリンク132(たとえば、S1など)を介してコアネットワーク130とインターフェースし得、UE115との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク134(たとえば、X1など)を介して互いと直接的または間接的に(たとえば、コアネットワーク130を通して)通信し得る。
【００３２】
基地局105は、1つまたは複数の基地局アンテナを介して、UE115とワイヤレス通信することができる。基地局105の各々は、それぞれの地理的カバレージエリア110に通信カバレージを提供し得る。いくつかの例では、基地局105は、基地トランシーバ局、無線基地局、アクセスポイント、無線トランシーバ、ノードB、eNB、ホームノードB、ホームeノードB、または何らかの他の好適な用語で呼ばれることがある。基地局105のための地理的カバレージエリア110は、カバレージエリアの一部分のみを構成するセクタ(図示せず)に分割され得る。ワイヤレス通信システム100は、異なるタイプの基地局105(たとえば、マクロセル基地局および/またはスモールセル基地局)を含み得る。異なる技術に対して重複する地理的カバレージエリア110があり得る。
【００３３】
いくつかの例では、ワイヤレス通信システム100は、LTE/LTE-Aネットワークである。LTE/LTE-Aネットワークでは、発展型ノードB(eNB)という用語が、一般に、基地局105を表すために使用されることがあり、UEという用語が、一般に、UE115を表すために使用されることがある。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、および/または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る3GPP用語である。
【００３４】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと同じまたはマクロセルとは異なる(たとえば、認可、無認可などの)周波数帯域で動作し得る、マクロセルと比較して低電力基地局である。スモールセルは、様々な例によれば、ピコセル、フェムトセル、およびマイクロセルを含む場合がある。ピコセルは、比較的小さい地理的エリアをカバーすることがあり、ネットワークプロバイダのサービスに加入しているUEによる無制限アクセスを可能にし得る。フェムトセルも、比較的小さい地理的エリア(たとえば、自宅)をカバーすることがあり、フェムトセルとの関連性を有するUE(たとえば、限定加入者グループ(CSG)の中のUE、自宅内のユーザのためのUEなど)による制限付きアクセスを提供し得る。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートし得る。
【００３５】
ワイヤレス通信システム100は、同期動作または非同期動作をサポートし得る。同期動作の場合、基地局は、同様のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明する技法は、同期動作または非同期動作のいずれかのために使用され得る。
【００３６】
開示する様々な例のうちのいくつかに適合し得る通信ネットワークは、階層化されたプロトコルスタックに従って動作するパケットベースネットワークであり得る。ユーザプレーンでは、ベアラまたはパケットデータコンバージェンスプロトコル(PDCP)レイヤにおける通信は、IPベースであってよい。無線リンク制御(RLC)レイヤが、論理チャネルを介して通信するためにパケットセグメンテーションおよびリアセンブリを実行し得る。媒体アクセス制御(MAC)レイヤが、優先処理と、トランスポートチャネルへの論理チャネルの多重化とを実行し得る。MACレイヤはまた、ハイブリッドARQ(HARQ)を使用してMACレイヤにおける再送信を行って、リンク効率を改善し得る。制御プレーンでは、無線リソース制御(RRC)プロトコルレイヤが、ユーザプレーンデータのための無線ベアラをサポートする、UE115と基地局105またはコアネットワーク130との間のRRC接続の確立と構成と保守とを行い得る。物理(PHY)レイヤにおいて、トランスポートチャネルは物理チャネルにマッピングされ得る。
【００３７】
UE115は、ワイヤレス通信システム100全体にわたって分散され、各UE115は、固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、もしくは何らかの他の好適な用語を含んでよく、またはそのように当業者によって呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであってよい。UEは、マクロeNB、スモールセルeNB、中継基地局などを含む、様々なタイプの基地局およびネットワーク機器と通信することが可能であってもよい。
【００３８】
ワイヤレス通信システム100内に示した通信リンク125は、UE115から基地局105へのUL送信、および/または基地局105からUE115へのDL送信を含む場合がある。DL送信は、順方向リンク送信と呼ばれることもあり、UL送信は、逆方向リンク送信と呼ばれることもある。各通信リンク125は、1つまたは複数のキャリアを含んでよく、各キャリアは、上記で説明した様々な無線技術に従って変調された複数のサブキャリア(たとえば、異なる周波数の波形信号)から構成される信号であり得る。各被変調信号は、異なるサブキャリア上で送られ得、制御情報(たとえば、基準信号、制御チャネルなど)、オーバーヘッド情報、ユーザデータなどを搬送し得る。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。FDD用のフレーム構造(たとえば、フレーム構造タイプ1)およびTDD用のフレーム構造(たとえば、フレーム構造タイプ2)が定義され得る。
【００３９】
ワイヤレス通信システム100のいくつかの実施形態では、基地局105および/またはUE115は、アンテナダイバーシティ方式を採用して基地局105とUE115との間の通信品質および信頼性を改善するための複数のアンテナを含み得る。追加または代替として、基地局105および/またはUE115は、同じまたは異なるコード化データを搬送する複数の空間レイヤを送信するためにマルチパス環境を利用し得る、多入力多出力(MIMO)技法を採用し得る。
【００４０】
いくつかの例では、UE115は、通常はエネルギーを節約するための、受信機の周期的なスイッチオフである、不連続受信(DRX)動作をサポートし得る。いくつかの例では、UEがいくつかのサブフレームにおいて物理ダウンリンク制御チャネル(PDCCH)を復号する必要または物理ダウンリンク共有チャネル(PDSCH)送信を受信する必要がないように、DLにおいてDRXサイクルが構成され得る。場合によっては、UE115は、UE115がデータを受信し得ることの指示がないか、連続的にワイヤレスリンク125を監視し得る。他の場合には(たとえば、電力を節約し、バッテリー寿命を延ばすために)、UE115はDRXサイクルで構成され得る。DRXサイクルは、UE115が(たとえば、PDCCH上で)制御情報がないか監視し得る「オン持続時間」、およびUE115が無線構成要素をパワーダウンし得る「DRX期間」からなる。場合によっては、UE115は、短期DRXサイクルおよび長期DRXサイクルで構成され得る。
【００４１】
場合によっては、UE115は、1つまたは複数の短期DRXサイクルの間非アクティブである場合に、長期DRXサイクルに入り得る。短期DRXサイクル、長期DRXサイクル、および連続受信の間の移行は、内部タイマーによって、または基地局105からのメッセージングによって制御され得る。UE115は、オン持続時間中にPDCCH上でスケジューリングメッセージを受信し得る。スケジューリングメッセージがないかPDCCHを監視する一方で、UE115は「DRX不活動タイマー」を開始し得る。スケジューリングメッセージが正常に受信された場合、UE115は、データを受信する準備をすることができ、DRX不活動タイマーがリセットされ得る。スケジューリングメッセージを受信することなくDRX不活動タイマーが終了したとき、UE115は、短期DRXサイクルに移ることができ、「DRX短期サイクルタイマー」を開始することができる。DRX短期サイクルタイマーが終了したとき、UE115は、長期DRXサイクルを再開し得る。
【００４２】
いくつかの例では、基地局105またはUE115は、物理ブロードキャストチャネル(PBCH)、セルへの初期アクセスに必須の限られた数の最も頻繁に送信されるパラメータからなる、マスタ情報ブロック(MIB)を搬送するLTE物理チャネルを介して1つまたは複数のメッセージを通信し得る。PBCHは、UEによる早期検出およびセル全体のカバレージのために設計されている。
【００４３】
いくつかの例では、基地局105またはUE115は、RRCを介して1つまたは複数のメッセージを通信し得る。RRCプロトコルは、E-UTRANがUEの挙動を制御するレイヤ3制御プレーンシグナリングを扱う。RRCプロトコルは、共通および専用の非アクセス層情報の両方の転送をサポートする。RRCプロトコルは、システム情報(SI)ブロードキャスティング、LTE内でのハンドオーバを含む接続制御、ネットワーク制御の無線アクセス技術間(無線アクセス技術(RAT))モビリティ、ならびに測定構成および報告を含むいくつかの機能エリアをカバーする。
【００４４】
いくつかの例では、基地局105またはUE115は、ランダムアクセスチャネル(RACH)を介して1つまたは複数のメッセージを通信し得る。場合によっては、RACHは、UEが正確なULタイミング同期を有しないとき、またはUEが割り振られたUL送信リソースを一切有しないときにネットワークへのアクセスに使用されるトランスポートチャネルであり得る。RACHは通常、競合ベースであり、その結果、UE間の衝突が生じることがある。UE115は、SIBを復号した後、基地局105にRACHプリアンブルを送信し得る。これはRACHメッセージ1として知られていることがある。たとえば、RACHプリアンブルは、64個の所定のシーケンスのセットからランダムに選択され得る。これによって、基地局105は、システムに同時にアクセスしようとする複数のUE115の間で区別することが可能であり得る。基地局105は、ULリソース許可と、タイミングアドバンスと、一時セル無線ネットワーク一時識別情報(C-RNTI)とを提供する、ランダムアクセス応答(RAR)、またはRACHメッセージ2で応答し得る。次いで、UE115は、一時的モバイル加入者識別情報(TMSI)(UE115が以前に同じワイヤレスネットワークに接続されていた場合)またはランダム識別子とともに、RRC接続要求、またはRACHメッセージ3を送信し得る。
【００４５】
RRC接続要求は、UE115がネットワークに接続している理由(たとえば、緊急、シグナリング、データ交換など)を示すこともできる。基地局105は、新しいC-RNTIを与え得る、UE115に宛てられた競合解消メッセージ、またはRACHメッセージ4で、接続要求に応答し得る。UE115が、正しい識別情報を有する競合解消メッセージを受信した場合、UE115は、RRCセットアップを進め得る。UE115が、競合解消メッセージを受信しない場合(たとえば、別のUE115との競合がある場合)、UE115は、新しいRACHプリアンブルを送信することによってRACHプロセスを繰り返し得る。
【００４６】
ワイヤレス通信システム100は、700MHzから2600MHz(2.6GHz)の周波数帯域を使用する超高周波(UHF)領域で動作し得るが、場合によっては、ワイヤレスローカルエリアネットワーク(WLAN)ネットワークは、4GHzのような高い周波数を使用し得る。場合によっては、ワイヤレス通信システム100はまた、スペクトルの極高周波(EHF)部(たとえば、30GHzから300GHzまで)を利用することもできる。この領域は、ミリメートル帯域として知られることもあり、その理由は、波長が約1ミリメートルから1センチメートルの長さに及ぶからである。したがって、EHFアンテナは、UHFアンテナよりもさらに小型であり、より間隔が密であり得る。場合によっては、これは、UE115内の(たとえば、指向性ビームフォーミングのための)アンテナアレイの使用を容易にすることができる。しかしながら、EHF送信は、UHF送信よりもさらに大きい大気減衰を受けることがあり、距離がより短いことがある。
【００４７】
詳細には、ワイヤレス通信システム100は、ミリメートル波(mmW)周波数範囲、たとえば、28GHz、40GHz、60GHzなどにおいて動作し得る。これらの周波数におけるワイヤレス通信は、増大する信号減衰(たとえば、経路損失)に関連付けられ得、増大する信号減衰は、温度、気圧、回折など、様々な要因によって影響を受けることがある。その結果、ビームフォーミング(すなわち、指向性送信)などの信号処理技法が、信号エネルギーをコヒーレントに組み合わせて特定のビーム方向における経路損失を克服するために使用され得る。場合によっては、UE115などのデバイスは、基地局105によって送信されたいくつかの信号の中から最強のビームを選択することによって、ネットワークと通信するためのビーム方向を選択し得る。一例では、信号は、発見中に基地局105から送信されたDL信号であり得る。発見手順は、セル固有であってよく、たとえば、基地局105の地理的カバレージエリア110の周りの漸進的方向に向けられてよい。発見手順は、少なくともいくつかの態様では、基地局105とUE115との間のビームフォーミングされた送信に使用されるべきビームを識別および選択するために使用され得る。
【００４８】
場合によっては、基地局アンテナは、1つまたは複数のアンテナアレイ内に配置され得る。1つまたは複数の基地局アンテナまたはアンテナアレイは、アンテナタワーなどのアンテナアセンブリにおいてコロケートされ得る。場合によっては、基地局105に関連付けられたアンテナまたはアンテナアレイは、多様な地理的ロケーションに配置され得る。基地局105は、UE115との指向性通信のためのビームフォーミング動作を行うために、複数のアンテナまたはアンテナアレイを使用し得る。
【００４９】
ワイヤレス通信システム100は、マルチキャリアmmWワイヤレス通信システムであってもよく、またはそれを含んでもよい。概して、ワイヤレス通信システム100の態様は、ビーム対応の範囲(たとえば、ビーム相反性の範囲のレベル)をサポートするように構成されたUE115および基地局105を含み得る。たとえば、基地局105および/またはUE115は、1つまたは複数の信号を交換し得る。場合によっては、基地局105またはUE115は、1つまたは複数の信号に基づいて、送信ビームおよび受信ビームのうちの少なくとも1つの間の対応のレベルを決定し得る。基地局105からの1つまたは複数のビームを介したDL送信が、UE115のためのDL受信ビームを識別するために使用され得る。同様に、UE115からの1つまたは複数のビームを介したUL送信が、基地局105のためのUL受信ビームを識別するために使用され得る。
【００５０】
場合によっては、基地局105とUE115との間のビーム対応のレベルが存在する場合、基地局105およびUE115は、ビームペア(すなわち、送信ビームおよび受信ビーム)を識別するためにビーム掃引を実行するのを回避し得る。だが、いくつかの例では、ビーム対応のレベルがしきい値を下回ることがあり、基地局105またはUE115が、ワイヤレスノードのためのビームペア(すなわち、送信/受信ビーム)を識別するために(たとえば、複数のビーム、複数のビームのサブセットなどの)少なくとも部分的なビーム掃引を実行することがある。いくつかの例では、基地局105またはUE115においてULおよびDLビームに関して対応のレベルが存在することがあり、ULおよびDLビームは、他の基地局105またはUE115との通信に利用され得る。
【００５１】
図2は、本開示の様々な態様による、ビーム対応の範囲を決定し示すことをサポートするワイヤレス通信システム200の例を示す。ワイヤレス通信システム200は、図1のワイヤレス通信システム100の1つまたは複数の態様の例であり得る。ワイヤレス通信システム200のいくつかの例は、mmWワイヤレス通信システムであってよい。ワイヤレス通信システム200は、図1を参照しながら説明したようなUE115および基地局105の1つまたは複数の態様であり得る、UE115-aおよび基地局105-aを含み得る。ワイヤレス通信システム200の説明する技法は、UE115-aと基地局105-aとの間のビーム対応のレベルを決定することをサポートする。
【００５２】
いくつかの例では、ワイヤレス通信システム200は、基地局105-aとUE115-aとの間の信号の1つまたは複数の送信に基づいてビーム対応の範囲(たとえば、ビーム相反性のレベル)を決定し得る。対応の決定された範囲は、ビーム対応の3つ以上のレベルのうちの1つであり得る。たとえば、ビーム対応の範囲は、全対応、部分的な対応、または対応なしを含み得る。ワイヤレス通信システム200のいくつかの場合には、基地局105-a、またはUE115-a、または両方は、送信デバイス(たとえば、基地局105-aまたはUE115-a)からの受信信号に基づいてビームトレーニングを実行し得る。基地局105-aは、UE115-aにアクティブ(ベース)ビーム上でビームフォーミングされた送信を送信し得るmmW基地局であり得る。基地局105-aからの送信は、UE115-aに向けられたビームフォーミングされた送信または指向性送信であり得る。たとえば、基地局105-aは、DL送信ビーム205-a〜205-d上でUE115-aに信号を送信し得る。
【００５３】
基地局105-aは、ビームフォーミングされた形でDL信号を送信し、地理的カバレージエリア110-aの角度カバレージ領域にわたって掃引することができる。DL送信ビーム205-a〜205-dの各々は、基地局105-aのカバレージエリアをカバーするように、異なる方向にビーム掃引動作において送信され得る。たとえば、DL送信ビーム205-aは第1の方向に送信されることがあり、DL送信ビーム205-bは第2の方向に送信されることがあり、DL送信ビーム205-cは第3の方向に送信されることがあり、DL送信ビーム205-dは第4の方向に送信されることがある。ワイヤレス通信システム200は、4つのDL送信ビーム、すなわち、DL送信ビーム205-a〜205-dを示すが、より少数またはより多数のDL送信ビームが送信されてよいことを理解されたい。
【００５４】
DL送信ビーム205は、加えて、可変のビーム幅、異なる仰角などで送信され得る。いくつかの例では、DL送信ビーム205-a〜205-dは、ビームインデックス、たとえば、DL送信ビームを識別するインジケータに関連付けられ得る。UE115-aは、いくつかの例では、受信された、DL送信ビーム(たとえば、DL送信ビーム205-b)に関連するビームインデックスに基づいて、DL受信ビームを識別し得る。いくつかの例では、基地局105-aは、UE115-aから受信された1つまたは複数の受信UL信号に基づいてUL受信ビームを決定し得る。
【００５５】
基地局105-aは、追加または代替として、サブフレームの異なるシンボル期間中にDL送信ビーム205-a〜205-dを送信し得る。たとえば、基地局105-aは、第1のシンボル期間(たとえば、シンボル0)中にDL送信ビーム205-aを送信すること、第2のシンボル期間(たとえば、シンボル1)中にDL送信ビーム205-bを送信すること、第3のシンボル期間(たとえば、シンボル2)中にDL送信ビーム205-cを送信すること、および第4のシンボル期間(たとえば、シンボル3)中にDL送信ビーム205-dを送信することがある。場合によっては、基地局105-aは、サブフレームの他のシンボル期間中にDL送信ビーム205-a〜205-dを送信することもある。場合によっては、UE115-aは、受信DL送信ビーム(たとえば、DL送信ビーム205-b)に関連するサブフレームのシンボル期間に基づいてDL受信ビームを識別し得る。UE115-aはまた、基地局105-aに、UE115-aのためのDL受信ビームを基地局105-aに示す報告を送信し得る。
【００５６】
場合によっては、基地局105-aは、UE115-aのロケーションおよび方向を判断するためにビーム掃引を実行し得る。ビーム掃引動作は、DLまたはULチャネルの間で対応のレベルが保たれないときに、基地局105-aとUE115-aとの間の通信を改善し得る。基地局105-aがビーム掃引(たとえば、DL送信ビーム205-a〜205-dを介して1つまたは複数の信号を送信すること)を実行した後、基地局105-aは、UE115-aから応答信号を受信し得る。応答信号は、UE115-aのための送信経路および受信経路を較正するための較正値を含み得る。ある場合には、UE115-aは、較正値を使用してUL送信ビームまたはDL受信ビームのための対応のレベルを決定し得る。
【００５７】
加えて、較正値の範囲は、アンテナ重みの振幅誤差の範囲、アンテナ重みの位相誤差の範囲、またはそれらの組合せのうちの少なくとも1つを含み得る。場合によっては、較正値の範囲は少なくとも、送信経路および受信経路に関連するアンテナ重みの振幅誤差の間の差、送信経路および受信経路に関連するアンテナ重みの位相誤差の間の差、またはそれらの組合せを含み得る。基地局105-aまたはUE115-aは、場合によっては、アンテナ重みの振幅誤差およびアンテナ重みの位相誤差の間の差に基づいてビームマッピングに関する不確実性を判断し得る。
【００５８】
ワイヤレス通信システム200のいくつかの例では、基地局105-aおよびUE115-aは1つまたは複数のアンテナアレイを含み得る。アンテナアレイは、1つまたは複数のアンテナ素子を含み得る。基地局105-aからUE115-aにDL送信ビームが送信され得る。DL送信に続いて、UE115-aの1つまたは複数のアンテナ素子はDL送信ビームを受信し得る。代替または追加として、UE115-aから基地局105-aにUL送信ビームが送信され得る。その結果、基地局105-aの1つまたは複数のアンテナ素子はUL送信ビームを受信し得る。いくつかの例では、基地局105-aおよび/またはUE115-aは、ビーム非対応のレベルを決定し得る。ビーム非対応のレベルを決定することは、基地局105-aおよびUE115-aが較正値を計算することを含み得る。いくつかの例では、較正値を計算することは、送信および受信信号(たとえば、ビーム)の振幅および位相誤差を計算することを含み得る。たとえば、基地局105-aまたはUE115-aは、着信信号(たとえば、送信ビーム)に関連するアレイ重みベクトルを計算し得る。基地局105-aまたはUE115-aは、以下の式に基づいてチャネル応答を計算し得る。
h=1e-jkd(sinθ).  .  .  e-j(N-1)kd(sinθ) (1)
式中、kは、着信信号(すなわち、送信ビーム)の波数であり、Nは、アンテナアレイのアンテナ素子の数であり、dは、アンテナアレイのアンテナ素子の間の間隔であり、θは、着信信号の角度である。
【００５９】
ワイヤレス通信システム200におけるDLおよびUL信号に関連する送信経路は、振幅および位相誤差に左右され得る。基地局105-aまたはUE115-aは、以下の式に基づいて着信信号(たとえば、送信ビーム)の振幅および位相誤差に関連するアレイ重みベクトルを計算し得る。
【００６０】
【数１】
2019533948.tif 000003
【００６１】
式中、∝0,txは、範囲(たとえば、0.9〜1.1)内の値であり得る振幅誤差であり、kは、着信信号(すなわち、送信ビーム)の波数であり、Nは、アンテナアレイのアンテナ素子の数であり、dは、アンテナアレイのアンテナ素子の間の間隔であり、θは、着信信号の角度である。
【００６２】
加えて、δ0,txは位相誤差項である。場合によっては、アンテナアレイの各アンテナ素子は、異なる位相誤差項を有し得る。たとえば、第1の位相誤差項は、第1のアンテナ素子に関係し得、第1の値を有し得る一方、第2の位相誤差項は、第2のアンテナ素子に関係し得、第1の値とは異なる第2の値を含み得る。
【００６３】
加えて、場合によっては、ワイヤレス通信システム200におけるDLおよびUL信号の受信経路は、振幅および位相誤差に左右され得る。基地局105-aまたはUE115-aは、以下の式に基づいて受信経路信号に関する振幅および位相誤差に関連するアレイ重みベクトルを計算し得る。
【００６４】
【数２】
2019533948.tif 000004
【００６５】
式中、∝0,rxは、振幅誤差であり、値の範囲内の値であり得、kは、着信信号の波数であり、Nは、アンテナアレイのアンテナ素子の数であり、dは、アンテナアレイのアンテナ素子の間の間隔であり、θは、着信信号の角度である。加えて、δ0,rxは、アンテナ素子0,1...N-1における位相誤差項である。
【００６６】
位相誤差は、場合によっては、基地局105-aまたはUE115-aに関連する1つまたは複数のビームの方向をシフトし得る。基地局105-aまたはUE115-aは、以下の式に基づいて送信または受信経路信号に関する位相ひずみおよび角度シフトに関連するアレイ重みベクトルを計算し得る。
【００６７】
【数３】
2019533948.tif 000005
【００６８】
位相誤差は、いくつかの例では、範囲内に一様に分布していると仮定され得る。範囲は、位相量子化器におけるビットの数によって識別され得る。たとえば、Bビット位相量子化器の場合、位相誤差は、
【００６９】
【数４】
2019533948.tif 000006
【００７０】
から
【００７１】
【数５】
2019533948.tif 000007
【００７２】
の間に一様にある範囲であり得る。μ項は、対応するビーム(たとえば、送信ビームまたは受信ビーム)に関する角度シフトを示す。いくつかの例では、μが0に等しいとき、基地局105-aまたはUE115-aはビームを、アンテナ素子0,1...N-1のうちの1つまたは複数における到来角のほうへ整合させ得る。追加または代替として、μが0以外の数に等しいとき、基地局105-aまたはUE115-aはビームを、到来角軸に対して左または右にビームをシフトすることによって整合させ得る。いくつかの例では、基地局105-aまたはUE115-aは、ランダム位相誤差の存在に基づいて、角度シフト項μが0に等しいときでも、到来角のほうへビームをシフトすることを制限され得る。その結果、基地局105-aまたはUE115-aのためのビーム対応のレベルが不在の場合がある。
【００７３】
位相誤差は、加えて、到来角のほうに向けられたベースビームに関連する近隣ビームに影響を与え得る。いくつかの例では、位相誤差のランダム性に起因して、近隣ビーム(たとえば、ビーム205-aまたはビーム205-c)は、ベースビーム(たとえば、ビーム205-b)と比較して大きいアレイ利得を有し得る。ワイヤレス通信システム200のいくつかの例は、ベースビーム(すなわち、到来角のほうを向くことが意図されたビーム)のアレイ利得を上回る近隣ビームのアレイ利得を軽減するために2ビット位相量子化器を使用し得る。いくつかの例では、位相誤差が-45度から+45度の間の範囲にある場合、UE115-aまたは基地局105-aは、ビーム対応のレベルが存在することを識別することができ、ULにおけるビームペアを識別するために、DL上でのビームトレーニングが使用され得る。
【００７４】
代替的に、ワイヤレス通信システム200のいくつかの例は、ベースビーム(すなわち、到来角のほうを向くことが意図されたビーム)のアレイ利得を上回る近隣ビームのアレイ利得を軽減するために1ビット位相量子化器を使用し得る。1ビット位相量子化器の場合、位相誤差は、-90度から+90度の範囲の間でランダムかつ一様に分布し得る。大きい位相誤差が存在する場合、基地局105-aの近隣ビームに関連するアンテナアレイ素子の利得が、UE115-aの方向に向き得るベースビーム(たとえば、ベースビーム205-b)のアンテナアレイ素子の利得を上回る可能性が低くなり得る。
【００７５】
加えて、大きい位相誤差が存在する場合、基地局105-aまたはUE115-aは、DLから取得された情報に基づいてビーム掃引の範囲を決定したことに基づいて、ULにおける部分的なビーム掃引を実行し得る。基地局105-aまたはUE115-aは、たとえば、データパケットのヘッダにおいて、互いに振幅および位相誤差の範囲を送信し得る。いくつかの例では、基地局105-aは同じビームを使用して、DLビームトレーニング信号を送信し、UE115-aからULビームトレーニング信号を受信し得る。基地局105-aは、ビーム対応の存在または不在を判断するために、DL送信ビームのDL受信信号強度およびUL受信ビームのUL受信信号強度を比較し得る。
【００７６】
場合によっては、アンテナアレイの各アンテナ素子は、異なる位相誤差項を含み得る。加えて、ワイヤレス通信システム200は、送信経路および受信経路に関連する振幅および位相誤差の比率に基づいてビーム対応のレベルを決定し得る。いくつかの例では、送信経路および受信経路の振幅および位相誤差の比率が互いのしきい値範囲内にあることに基づいて、ビーム対応のレベルが存在し得る。
【００７７】
追加または代替として、UE115-aからの受信応答信号は、UE115-aにDL信号を送信するために使用されたDLビームの送信に関連するDL品質の基地局105-aに対する指示であり得る。いくつかの例では、指示は、DLビームペアに関連するDL品質であり得る。たとえば、DLビームペアは、基地局105-aに関連するDL送信ビーム(たとえば、DL送信ビーム205-b)およびUE115-aに関連するDL受信ビームを含み得る。UE115-aは、DL送信ビームに関連するDL送信に関する基準信号受信電力(RSRP)または基準信号受信品質(RSRQ)を決定し得る。場合によっては、基地局105-aは、DLビームペア上での送信のRSRP、またはRSRQ、または信号対雑音比(SNR)、または信号対干渉雑音比(SINR)、またはチャネル品質指示(CQI)、または受信信号強度インジケータ(RSSI)、またはそれらの組合せのうちの少なくとも1つを受信し得る。
【００７８】
基地局105-aは、いくつかの例では、UE115-aからのUL送信ビームに関連するUL品質を決定し得る。いくつかの例では、UL品質は、ULビームペアのSNRまたはSINRに基づき得る。たとえば、ULビームペアは、UE115-aに関連するUL送信ビームおよび基地局105-aに関連するUL受信ビームを含み得る。基地局105-aまたはUE115-aは、UL送信ビームまたはUL受信ビームに基づいてSNRまたはSINRを決定し得る。いくつかの例では、基地局105-aまたはUE115-aは、DL品質を使用して対応のレベルを決定し得る。代替的に、基地局105-aまたはUE115-aは、UL品質を使用して対応のレベルを決定し得る。場合によっては、基地局105-aは、UE115-aと比較して高い電力レベルで送信し得る。いくつかの例では、ULビーム掃引の持続時間は、DLビーム掃引と比較して長い持続時間を有し得る。ULビーム掃引の持続時間は、リンクバジェット、すなわち、DLとULとの間の送信電力の間の差に基づいて決定され得る。
【００７９】
基地局105-aおよびUE115-aは、1つまたは複数の物理チャネルまたは制御チャネルを使用してメッセージを送信し得る。ある場合には、基地局105-aまたはUE115-aは、PBCHを介して互いに対応のレベルを識別する指示を送信し得る。場合によっては、基地局105-aまたはUE115-aは、RACHメッセージを介して互いに対応のレベルを識別する指示を送信し得る。たとえば、基地局105-aまたはUE115-aは、RACHのmsg1〜msg4を介して指示を送信し得る。代替的に、UE115-aは、物理アップリンク制御チャネル(PUCCH)を介して基地局105-aに対応のレベルを識別する指示を送信し得る。基地局105-aまたはUE115-aは、場合によっては、RRCメッセージを介して互いに対応のレベルを識別する指示を送信し得る。
【００８０】
いくつかの例では、基地局105-aまたはUE115-aは、拡張物理ブロードキャストチャネル(ePBCH)を介して互いに対応のレベルを識別する指示を送信し得る。代替的に、基地局105-aまたはUE115-aは、物理アップリンク共有チャネル(PUSCH)を介して互いに対応のレベルを識別する指示を送信し得る。
【００８１】
いくつかの例では、基地局105-aまたはUE115-aは、DL送信ビーム205-a、205-b、205-c、または205-dの識別されたDL信号のインデックスに基づいてランダムアクセス信号(たとえば、RACHメッセージまたはmsg1〜msg4)を送信するための周波数領域および/または波形構成を選択し得る。ランダムアクセス期間中、基地局105-aは、掃引方式でランダムアクセス信号を受信することによってUL送信ビームを識別し得る。基地局105-aはまた、ランダムアクセス信号のRACHメッセージ(たとえば、msg1)を含む使用された周波数リソースおよび/またはRACH波形(たとえば、使用された周波数領域および/または波形構成)からUE115-aが選択したDL受信ビームを識別し得る。
【００８２】
いくつかの例では、UE115-aは、1つまたは複数のDL送信ビーム205-a〜205-d上で1つまたは複数のDL信号を受信し得る。UE115-aは、しきい値、たとえば、受信信号強度しきい値、チャネル/リンク品質しきい値などを満たすDL受信ビームを識別し得る。UE115-aは、しきい値を満たすDL信号に基づいて候補DL受信ビームを識別し得る。その結果、UE115-aは、DL送信ビームに関連する対応するDL受信ビームを選択し得る。いくつかの例では、UE115-aは、選択されたDL受信ビームに基づいて、RACHメッセージの送信に使用すべき周波数リソースおよび/またはRACH波形を識別し得る。
【００８３】
一例では、RACHメッセージの送信に使用された周波数リソースおよび/またはRACH波形は、識別されたDL送信ビームのシンボルに対応し得る。代替的に、基地局105-aは、ランダムアクセス信号のメッセージ-1を含む使用された周波数領域および/またはRACH波形からUE115-aのDL受信ビームを識別し得る。基地局105-aは、異なるUL受信機ビーム(たとえば、DLビーム205-a〜205-d)での受信信号の品質を測定することによって、UL受信ビームを決定し得る。信号品質は、RSRP、またはRSSI、またはRSRQ、SNR、SINRなどの1つまたは複数の組合せを示し得る。いくつかの例では、UE115-aは、DL受信ビームを選択し、DL送信ビームのインデックスに基づいてRACHおよび/またはRACH波形の周波数領域を選択することができる。UE115-aは、送信電力条件を満たすDL受信ビームを選択し得る。
【００８４】
いくつかの例では、基地局105-aおよびUE115-aは、ハンドオーバ手順の一部として、基地局105-aのDL送信ビームとUE115-aのDL受信ビームとの間の対応のレベルを識別する指示を受信し得る。ハンドオーバ手順は、基地局105-aとUE115-aとの間の前方ハンドオーバ手順であり得る。代替的に、ハンドオーバ手順は、基地局105-aとUE115-aとの間の後方ハンドオーバ手順であり得る。
【００８５】
基地局105-aおよびUE115-aは、対応のレベルもしくはトリガリングイベント、またはそれらの組合せに基づいてビーム掃引の範囲を決定し得る。トリガリングイベントは、UE115-aがDRXサイクルから接続モードに移行することを含み得る。いくつかの例では、UE115-aは、持続時間がしきい値持続時間を上回るDRXサイクルから接続モードに移行し得る。場合によっては、トリガリングイベントは、送信サブアレイまたは受信サブアレイの構成変更を含み得る。追加または代替として、トリガリングイベントは、基地局105-aまたはUE115-aの温度変化を含み得る。たとえば、UE115-aの温度が、所定のしきい値温度を上回ることがある。その結果、UE115-aは、温度変化に基づいてビーム掃引範囲を変更し得る。いくつかの例では、ビーム掃引範囲は、異なるリンク(たとえば、DLまたはUL)では異なり得る。
【００８６】
完全なランダム位相誤差が存在する場合、基地局105-aまたはUE115-aは、全アレイ利得を獲得することを不可能にされ得る。そのような場合、ワイヤレス通信システム200は、較正するように基地局105-aまたはUE115-aを構成し得る。いくつかの例では、基地局105-aまたはUE115-aは、基地局105-aまたはUE115-aに関連する1つまたは複数の受信機チェーン構成要素を較正し得る。基地局105-aまたはUE115-aの1つまたは複数の受信機チェーン構成要素を較正することは、基地局105-aまたはUE115-aとともに外部構成要素を使用することに基づき得る。たとえば、外部構成要素(図示せず)は、既知の振幅および位相の外部基準信号を生成し得る。外部基準信号は、基地局105-aまたはUE115-aに送信され得る。いくつかの例では、外部構成要素は、信号に関連する利得および位相誤差を推定するために受信機測定を監視し実行し得る。代替的に、基地局105-aまたはUE115-aの1つまたは複数の受信機チェーン構成要素を較正することは、1つまたは複数のハードウェア構成要素、たとえば、アンテナポートにおける結合器を使用して、送信信号の一部分を傍受し、基地局105-aまたはUE115-aの受信経路に戻すことに基づき得る。送信ベースバンドにおいて生成された基準信号は、送信および受信チェーン全体を較正するために受信機ベースバンドに、結合された経路を通じてループバックされ得る。
【００８７】
追加または代替として、基地局105-aまたはUE115-aの1つまたは複数の受信機チェーン構成要素を較正することは、既存の送信チェーンを使用して基準信号を生成し、1つまたは複数の受信チェーンを使用して受信信号を測定することに基づき得る。たとえば、基地局105-aまたはUE115-aは、基地局105-aまたはUE115-aの既存の送信チェーンを使用して基準信号を生成し、基地局105-aまたはUE115-aの受信チェーンを使用して受信信号を測定し得る。
【００８８】
UE115-aまたは基地局105-aは、アンテナアレイ素子の間の相互結合に基づいて自己較正を実行し得る。たとえば、アンテナアレイ素子は、アンテナアレイ素子から送信し、別のアンテナアレイ素子において受信することに基づいて、互いの間の位相および/または振幅差を測定するために使用され得る。たとえば、UE115-aまたは基地局105-aは、第1のアンテナアレイ素子から第1の位相を有する信号を送信し得る。UE115-aまたは基地局105-aの第2のアンテナアレイ素子において、UE115-aまたは基地局105-aは、第2のアンテナアレイ素子における受信された第1の位相の差を測定し計算し得る。加えて、UE115-aまたは基地局105-aは、第3のアンテナアレイ素子から第2の位相を有する第2の信号を送信し、第2のアンテナアレイ素子における受信された第2の信号の第2の位相の差を測定し得る。UE115-aまたは基地局105-aは、第2の信号の第2の位相を、第1の信号の第1の位相と合致するまで動的に調整することに基づいて、第1、第2、および第3のアンテナアレイ素子を整合させ得る。
【００８９】
場合によっては、UE115-aまたは基地局105-aは同時に、あるアンテナアレイ素子で送信し、別のアンテナアレイ素子において受信し得る。いくつかの例では、素子の間の相互結合は、同じであることがあり、相互結合振幅は、動的範囲内にあり得る。
【００９０】
場合によっては、UE115-aまたは基地局105-aは、送信チェーン上で高利得フィデリティを有する信号を生成することに基づいて利得較正を実行し得る。いくつかの例では、UE115-aは、温度およびプロセスの変動を通じて出力電力が一定であり得る領域内にUE115-aがあることに基づいて、高信号レベルで送信し得る。いくつかの例では、基地局105-aは、UE115-aが高信号レベルで送信していることに基づいて干渉に直面し得る。UE115-aは、UE115-aと基地局105-aとの間の干渉を軽減するために、基地局105-aとの間で較正を調整し得る。たとえば、較正中にUE115-aは、基地局105-aへの方向でのビームフォーミングを回避し得る。
【００９１】
UE115-aは、いくつかの例では、1つまたは複数の送信アンテナ素子がアクティブに送信していることに基づいて、基地局105-aへの方向でのビームフォーミングを回避し得る。追加または代替として、UE115-aは、隣接する受信チェーンを結合することに関連する強度が所定のしきい値を満たすようにするために、基地局105-aへの方向でのビームフォーミングを回避し得る。いくつかの例では、自己較正送信信号を送信することは、UE115-aの近傍にあるより広い空間エリアにわたって干渉を引き起こす可能性を有し、基地局105-aとの調整が必要になる。基地局105-aは、UE115-aが自己較正することができるように、システムに関するリソースブランキングまたはクラスタに関するリソースブランキングを可能にし得る。基地局105-aは、加えて、ビーム対応のレベルの不在を示すUE115-aからの指示に基づいて、リソースブランキングを決定し得る。場合によっては、UE115-aは、自己較正するために基地局105-aにリソース許可要求を送信し得る。
【００９２】
図3は、本開示の様々な態様による、ビーム対応の範囲を決定し示すことをサポートするワイヤレス通信システム300の例を示す。ワイヤレス通信システム300は、図1または図2のワイヤレス通信システム100または200の1つまたは複数の態様の例であり得る。ワイヤレス通信システム300のいくつかの例は、mmWワイヤレス通信システムであってよい。ワイヤレス通信システム300は、図1および図2を参照しながら説明したUE115および基地局105の1つまたは複数の態様であり得る、UE115-bおよび基地局105-bを含み得る。ワイヤレス通信システム300の説明する技法は、UE115-bと基地局105-bとの間のビーム対応の範囲を決定することをサポートする。
【００９３】
ワイヤレス通信システム300のUE115-bは、基地局105-bとUE115-bとの間で送信された1つまたは複数の信号に基づいてビーム対応のレベル(たとえば、ビーム対応の範囲)を決定し得る。図2を参照しながら説明したように、ビーム対応の範囲は、全対応、部分的な対応、または対応なしを含み得る。ワイヤレス通信システム300のいくつかの場合には、UE115-bは、基地局105-bからの受信信号に基づいてビームトレーニングを実行し得る。いくつかの例では、UE115-bは、基地局105-bから1つまたは複数のDL信号を受信し得る。基地局105-bは、UE115-bにアクティブビーム上でビームフォーミングされた送信を送信し得るmmW基地局であり得る。場合によっては、基地局105-bからの送信は、UE115-bに向けられたビームフォーミングされた送信または指向性送信であり得る。
【００９４】
ワイヤレス通信システム300のいくつかの例では、ビーム305-a〜305-dは、図2を参照しながら説明したようなビーム205-a〜205-dの1つまたは複数の態様であり得る。場合によっては、ビーム305-a〜305-dは、DL受信ビームの1つまたは複数の態様であり得る。UE115-bは、基地局105-bから受信されたDL信号に基づいてDL受信ビームを決定し得る。UE115-bは、受信DL送信信号に基づいてビーム対応のレベルを決定し得る。場合によっては、受信DL送信信号は、個々のDL送信ビーム(たとえば、図2を参照しながら説明したようなDL送信ビーム205-a〜205-d)に関連付けられ得る。たとえば、UE115-bは、ビーム305-a、ビーム305-b、ビーム305-c、またはビーム305-dのうちの少なくとも1つがビームペア、すなわち、DL送信ビームに対するDL受信ビームであり得ると判断し得る。
【００９５】
代替的に、ビーム305-a〜305-dは、UL送信ビームの1つまたは複数の態様であり得る。たとえば、UE115-bは、基地局105-bに1つまたは複数のUL送信ビーム(たとえば、UL送信ビーム305-a〜305-d)を介してUL信号を送信し得る。UE115-bは、ビームフォーミングされた形でUL信号を送信し、地理的カバレージエリア110-bの角度カバレージ領域にわたって掃引することができる。各UL送信ビーム305-a〜305-dは、異なる方向にビーム掃引動作において送信され得る。たとえば、UL送信ビーム305-aは第1の方向に送信されることがあり、UL送信ビーム305-bは第2の方向に送信されることがあり、UL送信ビーム305-cは第3の方向に送信されることがあり、UL送信ビーム305-dは第4の方向に送信されることがある。ワイヤレス通信システム300は、4つのUL送信ビーム、すなわち、UL送信ビーム305-a〜305-dを示すが、より少数またはより多数のUL送信ビームが送信されてよいことを理解されたい。
【００９６】
UL送信ビーム305は、代替的に、異なるビーム幅、可変の仰角などで送信され得る。場合によっては、ビーム305-a〜305-dは、ビームインデックス、たとえば、UL送信ビームを識別するインジケータに関連付けられ得る。基地局105-bは、いくつかの例では、受信された、UL送信ビーム(たとえば、UL送信ビーム305-b)に関連するビームインデックスに基づいて、UL受信ビームを識別し得る。
【００９７】
いくつかの例では、UE115-bは、サブフレームの異なるシンボル期間中にUL送信ビームを送信し得る。たとえば、UE115-bは、第1のシンボル期間(たとえば、シンボル0)中に第1のUL送信ビームを送信すること、第2のシンボル期間(たとえば、シンボル1)中に第2のUL送信ビームを送信することなどがある。場合によっては、UE115-bは、サブフレームの他のシンボル期間中にUL送信ビームを送信することもある。場合によっては、基地局105-bは、受信UL送信ビームに関連するサブフレームのシンボル期間に基づいてUL受信ビームを識別し得る。基地局105-bは、いくつかの例では、UE115-bに応答(たとえば、構成)信号を送信し得る。基地局105-bは、UE115-bのための送信経路または受信経路を較正するための較正値を含み得る。較正値は、図2を参照しながら説明したような、アンテナ重みの振幅誤差の範囲、または重み値を補償する位相誤差の範囲、またはそれらの組合せを含み得る。
【００９８】
基地局105-bは、いくつかの例では、UE115-aからのUL送信ビームに関連するUL品質を決定し得る。いくつかの例では、UL品質は、ULビームペアのSNRまたはSINRに基づき得る。たとえば、ULビームペアは、UE115-bに関連するUL送信ビームおよび基地局105-bに関連するUL受信ビームを含み得る。基地局105-bまたはUE115-bは、UL送信ビームまたはUL受信ビームに基づいてSNRまたはSINRを決定し得る。いくつかの例では、基地局105-bまたはUE115-bは、DL品質を使用して対応のレベルを決定し得る。代替的に、基地局105-bまたはUE115-bは、UL品質を使用して対応のレベルを決定し得る。
【００９９】
基地局105-bは、UL送信ビームに関連するUL品質の指示をUE115-bに対する応答信号に含め得る。場合によっては、UE115-bは、基地局105-bにDL受信のRSRPまたはRSRQの指示を送信し得る。基地局105-bは、UE115-bからのUL送信ビームに関連するUL品質を決定し得る。いくつかの例では、UL品質は、ULビームペアのSNRまたはSINRに基づき得る。たとえば、ULビームペアは、UE115-bに関連するUL送信ビーム(たとえば、UL送信ビーム305-a)および基地局105-bに関連するUL受信ビーム(図示せず)を含み得る。基地局105-bまたはUE115-bは、UL送信ビームまたはUL受信ビームに基づいてSNRまたはSINRを決定し得る。いくつかの例では、基地局105-bまたはUE115-bは、UL品質を使用して対応のレベルを決定し得る。
【０１００】
いくつかの例では、UE115-bは、PBCHを介して基地局105-bに対応のレベルを識別する指示を送信し得る。場合によっては、基地局105-bまたはUE115-bは、RACHメッセージを介して互いに対応のレベルを識別する指示を送信し得る。たとえば、基地局105-bまたはUE115-bは、RACHのmsg1〜msg4を介して指示を送信し得る。代替的に、UE115-bは、PUCCHを介して基地局105-bに対応のレベルを識別する指示を送信し得る。基地局105-bまたはUE115-bは、場合によっては、RRCメッセージを介して互いに対応のレベルを識別する指示を送信し得る。
【０１０１】
いくつかの例では、UE115-bは、1つまたは複数のDL送信ビーム上で1つまたは複数のDL信号を受信し得る。UE115-bは、しきい値、たとえば、受信信号強度しきい値、チャネル/リンク品質しきい値などを満たすDL受信ビームを識別し得る。UE115-bは、しきい値を満たすDL信号に基づいて候補DL受信ビームを識別し得る。その結果、UE115-bは、DL送信ビームに関連する対応するDL受信ビームを選択し得る。
【０１０２】
基地局105-bおよびUE115-bは、対応のレベルもしくはトリガリングイベント、またはそれらの組合せに基づいてビーム掃引の量を決定し得る。トリガリングイベントは、UE115-bがDRXサイクルから接続モードに移行することを含み得る。いくつかの例では、UE115-bは、持続時間がしきい値持続時間を上回るDRXサイクルから接続モードに移行し得る。トリガリングイベントはまた、送信サブアレイまたは受信サブアレイの構成変更を含み得る。追加または代替として、トリガリングイベントは、UE115-bの温度変化を含み得る。たとえば、UE115-bの温度が、所定のしきい値温度を上回ることがある。その結果、UE115-bは、温度変化に基づいてビーム掃引範囲を変更し得る。いくつかの例では、ビーム掃引範囲は、異なるリンク(たとえば、DLまたはUL)では異なり得る。
【０１０３】
図4A〜図4Cは、本開示の様々な態様による、ビーム対応の範囲を決定し示すことをサポートするプロセスフロー400の例を示す。プロセスフロー400は、図1、図2、および図3を参照しながら説明したようなワイヤレス通信システム100、200、または300の態様を実装し得る。プロセスフロー400は、図1〜図3の対応するデバイスの例であり得る、基地局105およびUE115を含み得る。基地局105は、UE115のためのmmW基地局およびサービス基地局を含み得る。
【０１０４】
図4Aは、本開示の様々な態様による、ビーム対応の範囲を決定し示すための1つのオプションを示すプロセスフロー400-aの例を示す。プロセスフロー400-aは、図1〜図3の対応するデバイスの例であり得る、基地局105-cおよびUE115-cを含み得る。基地局105-cは、UE115-cのためのmmW基地局およびサービス基地局であり得る。405において、基地局105-cおよびUE115-cは、互いの間で1つまたは複数の信号を交換し得る。場合によっては、基地局105-cは、1つまたは複数のDLビームを介してDL信号を送信し得る。UE115-cは、1つまたは複数のDL受信ビームを介してDL信号を受信し得る。代替的に、UE115-cは、1つまたは複数のUL送信ビームを介してUL信号を送信することがあり、基地局105-cは、1つまたは複数のUL受信ビームを介してUL信号を受信することがある。
【０１０５】
410において、基地局105-cは、UE115-cから較正値を受信し得る。いくつかの例では、UE115-cは、基地局105-cに信号指示を送信し得る。UE115-cを介した送信信号は、UE115-cの送信経路および受信経路に関連する較正値の範囲を示し得る。
【０１０６】
415において、基地局105-cは、少なくとも基地局105-cのDL送信ビームと基地局105-cのUL受信ビームとの間の対応の範囲を決定し得る。いくつかの例では、基地局105-cは、UE115-cのUL送信ビームとUE115-cのDL受信ビームとの間の対応の範囲を決定するために較正値の範囲を使用し得る。対応の範囲は、全対応、部分的な対応、または対応なしを含み得る。
【０１０７】
420において、基地局105-cは、UE115-cに対応指示を送信し得る。場合によっては、基地局105-cは、UE115-cに送信されるMIB(たとえば、対応を示すために予約されたビット)またはSIB(たとえば、対応を示すために予約されたビット)に対応範囲指示を含め得る。いくつかの例では、基地局105-cは、PBCHを介してMIBを送信することがあり、基地局105-cは、ePBCHを介してSIBを送信することがある。
【０１０８】
図4Bは、本開示の様々な態様による、ビーム対応の範囲を決定し示すことをサポートする別のオプションを示すプロセスフロー400-bの例を示す。プロセスフロー400-bは、図1〜図3の対応するデバイスの例であり得る、基地局105-dおよびUE115-dを含み得る。基地局105-dは、UE115-dのためのmmW基地局およびサービス基地局であり得る。405-aにおいて、基地局105-dおよびUE115-dは、互いの間で1つまたは複数の信号を交換し得る。場合によっては、基地局105-dは、1つまたは複数のDLビームを介してDL信号を送信し得る。UE115-dは、1つまたは複数のDL受信ビームを介してDL信号を受信し得る。代替的に、UE115-dは、1つまたは複数のUL送信ビームを介してUL信号を送信することがあり、基地局105-dは、1つまたは複数のUL受信ビームを介してUL信号を受信することがある。
【０１０９】
430において、UE115-dは、基地局105-dのDL送信ビームおよびUE115-dのDL受信ビームを含み得る送信信号405-aに関連するDLビームペア上での送信のDL品質を決定し得る。いくつかの例では、UE115-dは、DLビームペア上での送信のRSRP、またはRSRQ、またはSNR、またはSINR、またはCQI、またはRSSI、またはそれらの組合せに基づいてDL品質を決定し得る。
【０１１０】
435において、UE115-dは、基地局105-dにDLビームペア上での送信のDL品質を示す信号を送信し得る。いくつかの例では、UE115-dは、1つまたは複数のUL送信ビーム上で信号を送信し得る。440において、基地局105-dは、UE115-dのUL送信ビームおよび基地局105-dのUL受信ビームを含み得るULビームペア上での送信のUL品質を決定し得る。いくつかの例では、基地局105-dは、アップリンクビームペア上での送信のSNR、またはSINR、またはCQI、またはRSSI、またはそれらの組合せを決定することに基づいてUL品質を決定し得る。
【０１１１】
445において、基地局105-dは、UE115-dの送信ビームとUE115-dの受信ビームとの間の対応の範囲を決定するために、DL品質またはUL品質を使用し得る。対応の範囲は、全対応、部分的な対応、または対応なしを含み得る。基地局105-dは、450において、UE115-dに対応指示を送信し得る。場合によっては、基地局105-dは、UE115-dに送信されるMIB(たとえば、対応を示すために予約されたビット)またはSIB(たとえば、対応を示すために予約されたビット)に対応範囲指示を含め得る。いくつかの例では、基地局105-dは、PBCHを介してMIBを送信することがあり、基地局105-dは、ePBCHを介してSIBを送信することがある。
【０１１２】
図4Cは、本開示の様々な態様による、ビーム対応の範囲を決定し示すことをサポートするプロセスフロー400-cの例を示す。プロセスフロー400-cは、図1〜図3の対応するデバイスの例であり得る、基地局105-eおよびUE115-eを含み得る。基地局105-eは、UE115-eのためのmmW基地局およびサービス基地局であり得る。
【０１１３】
405-bにおいて、基地局105-eおよびUE115-eは、互いの間で1つまたは複数の信号を交換し得る。場合によっては、基地局105-eは、1つまたは複数のDLビームを介してDL信号を送信し得る。UE115-eは、1つまたは複数のDL受信ビームを介してDL信号を受信し得る。代替的に、UE115-eは、1つまたは複数のUL送信ビームを介してUL信号を送信することがあり、基地局105-eは、1つまたは複数のUL受信ビームを介してUL信号を受信することがある。
【０１１４】
460において、基地局105-eは、少なくとも基地局105-eのDL送信ビームと基地局105-eのDL受信ビームとの間の対応の範囲を決定し得る。対応の範囲は、全対応、部分的な対応、または対応なしを含み得る。いくつかの例では、基地局105-eとUE115-eとの間の少なくとも部分的なビーム対応が存在する場合、基地局105-eまたはUE115-eは、ビームペア(すなわち、送信ビームおよび受信ビーム)を識別するためにビーム掃引を実行するのを回避し得る。だが、いくつかの例では、ビーム対応の範囲がしきい値を下回ることがあり、基地局105-eまたはUE115-eが、ビームペア(すなわち、送信/受信ビーム)を識別するために(たとえば、複数のビーム、複数のビームのサブセットなどの)少なくとも部分的なビーム掃引を実行することがある。
【０１１５】
465において、基地局105-eは、ビーム掃引手順を実行し得る。ビーム掃引手順は、基地局105-eがUE115-eに1つまたは複数のDLビームを介して1つまたは複数のDL信号を送信することを含み得る。たとえば、470において基地局105-eは、DL送信ビームを介してDL信号を送信し得る。475において、UE115-eは、DL受信ビームを識別し得る。いくつかの例では、UE115-eは、UE115-eの1つまたは複数のDL受信ビームに関連するDL送信ビームのSNR、またはSINR、またはCQI、またはRSSI、またはそれらの組合せを決定することに基づいてDL受信ビームを識別し得る。480において、UE115-eは、基地局105-eにDL受信ビームの指示を送信し得る。485において、基地局105-eは、UE115-eからのDL受信ビームの受信された指示に基づいてDLビームペアを識別し得る。
【０１１６】
図5は、本開示の様々な態様による、ビーム対応の範囲を決定し示すことをサポートするワイヤレス通信において使用するように構成されたワイヤレスデバイス505のブロック図500を示す。ワイヤレスデバイス505は、図1〜図4を参照しながら説明したようなUE115または基地局105の態様の例であり得る。ワイヤレスデバイス505は、受信機510、ビーム対応マネージャ515、および送信機520を含み得る。
【０１１７】
受信機510は、パケット、ユーザデータ、または様々な情報チャネルに関連する制御情報(たとえば、DL-ULビーム対応、制御チャネル、データチャネル、およびワイヤレスノードにおけるビーム対応の範囲を示すことに関係する情報など)のような情報を受信し得る。情報は、デバイスの他の構成要素に渡されてよい。
【０１１８】
ビーム対応マネージャ515は、第1のワイヤレスノードと第2のワイヤレスノードとの間で1つまたは複数の信号を交換することと、第1のワイヤレスノードにおいて、1つまたは複数の信号に基づいて、第1のワイヤレスノードの送信ビームおよび第1のワイヤレスノードの受信ビームのうちの少なくとも1つの間、または第2のワイヤレスノードの送信ビームと第2のワイヤレスノードの受信ビームとの間の対応の範囲を決定することとができる。
【０１１９】
送信機520は、デバイスの他の構成要素によって生成された信号を送信し得る。いくつかの例では、送信機520は、トランシーバモジュールにおいて受信機510とコロケートされ得る。送信機520は、単一のアンテナを含み得るか、またはアンテナのセットを含み得る。
【０１２０】
図6は、本開示の様々な態様による、ビーム対応の範囲を決定し示すことをサポートするワイヤレス通信において使用するように構成されたワイヤレスデバイス605のブロック図600を示す。ワイヤレスデバイス605は、図1〜図5を参照しながら説明したようなワイヤレスデバイス505またはUE115または基地局105の態様の例であり得る。ワイヤレスデバイス605は、受信機610、ビーム対応マネージャ615、および送信機620を含み得る。ワイヤレスデバイス605はプロセッサも含み得る。これらの構成要素の各々は、(たとえば、1つまたは複数のバスを介して)互いに通信していることがある。
【０１２１】
受信機610は、パケット、ユーザデータ、または様々な情報チャネルに関連する制御情報(たとえば、UL-DLビーム対応情報、制御チャネル、データチャネル、およびワイヤレスノードにおけるビーム対応の範囲を示すことに関係する情報など)のような情報を受信し得る。情報は、デバイスの他の構成要素に渡されてよい。受信機610は、図5を参照しながら説明した受信機510の態様の例であり得る。
【０１２２】
ビーム対応マネージャ615は、図5を参照しながら説明したビーム対応マネージャ515の態様の例であり得る。ビーム対応マネージャ615は、通信交換構成要素625および対応構成要素630を含み得る。通信交換構成要素625は、第1のワイヤレスノードと第2のワイヤレスノードとの間で1つまたは複数の信号を交換することと、第2のワイヤレスノードから、第1のワイヤレスノードの送信ビームおよび第2のワイヤレスノードの受信ビームを含むDLビームペア上での送信のDL品質を示す信号を受信することと、第2のワイヤレスノードから、第2のワイヤレスノードの送信ビームと第2のワイヤレスノードの受信ビームとの間の対応の範囲の指示を受信することとができる。場合によっては、ビーム対応マネージャ615は、送信ビームおよび受信ビームに対して同様のビーム形状を適用し得る。同様のビーム形状は、送信ビームおよび受信ビームがアンテナ素子、またはビーム幅、または同じ方向への向き、またはそれらの組合せの同じセットを使用することを示す。
【０１２３】
場合によっては、第2のワイヤレスノードの送信ビームと第2のワイヤレスノードの受信ビームとの間の対応の範囲の指示を受信することは、PBCH、ePBCH、RACHメッセージ、PDCCH、PUCCH、RRCメッセージ、MIB、またはSIBのうちの少なくとも1つを介して指示を受信することを含む。
【０１２４】
対応構成要素630は、第1のワイヤレスノードにおいて、1つまたは複数の信号に基づいて、第1のワイヤレスノードの送信ビームおよび第1のワイヤレスノードの受信ビームのうちの少なくとも1つの間、または第2のワイヤレスノードの送信ビームと第2のワイヤレスノードの受信ビームとの間の対応の範囲を決定することと、第2のワイヤレスノードから、第2のワイヤレスノードの送信経路および受信経路に関連する較正値の範囲を示す信号を受信することとができる。
【０１２５】
場合によっては、対応構成要素630は、第2のワイヤレスノードの送信ビームと第2のワイヤレスノードの受信ビームとの間の対応の範囲を決定するために較正値の範囲を使用し得る。場合によっては、較正値の範囲は、アンテナ重みの振幅誤差の範囲、アンテナ重みの位相誤差の範囲、またはそれらの組合せのうちの少なくとも1つを含む。場合によっては、較正値の範囲は少なくとも、送信経路および受信経路に関連するアンテナ重みの振幅誤差の間の差、送信経路および受信経路に関連するアンテナ重みの位相誤差の間の差、またはそれらの組合せを含む。
【０１２６】
場合によっては、対応構成要素630は、第2のワイヤレスノードの送信ビームと第2のワイヤレスノードの受信ビームとの間の対応の範囲を決定するためにDL品質およびUL品質を使用し得る。場合によっては、対応構成要素630は、第1のワイヤレスノードの送信ビームおよび第1のワイヤレスノードの受信ビームのうちの少なくとも1つの間、または第2のワイヤレスノードの受信ビームと第2のワイヤレスノードの送信ビームとの間の差を決定することに基づいて、対応の範囲を決定し得る。
【０１２７】
送信機620は、デバイスの他の構成要素によって生成された信号を送信し得る。いくつかの例では、送信機620は、トランシーバモジュールにおいて受信機610とコロケートされ得る。たとえば、送信機620は、図5を参照しながら説明した送信機520の態様の例であり得る。送信機620は、単一のアンテナを含み得るか、またはアンテナのセットを含み得る。
【０１２８】
図7は、本開示の様々な態様による、ビーム対応の範囲を決定し示すことをサポートするブロック図700を示す。ビーム対応マネージャ715は、図5および図6を参照しながら説明したビーム対応マネージャ515またはビーム対応マネージャ615の態様の例であり得る。ビーム対応マネージャ715は、通信交換構成要素720、対応構成要素725、リンク品質構成要素730、ビームマッピング構成要素735、ハンドオーバ構成要素740、ビーム掃引範囲構成要素745、およびイベントトリガ構成要素750を含み得る。これらのモジュールの各々は、(たとえば、1つまたは複数のバスを介して)互いに直接または間接的に通信してもよい。
【０１２９】
通信交換構成要素720は、第1のワイヤレスノードと第2のワイヤレスノードとの間で1つまたは複数の信号を交換することと、第2のワイヤレスノードから、第1のワイヤレスノードの送信ビームおよび第2のワイヤレスノードの受信ビームを含むDLビームペア上での送信のDL品質を示す信号を受信することと、第2のワイヤレスノードから、第2のワイヤレスノードの送信ビームと第2のワイヤレスノードの受信ビームとの間の対応の範囲の指示を受信することとができる。場合によっては、DL品質を示す信号を受信することは、ダウンリンクビームペア上での送信のRSRP、RSRQ、SNR、SINR、CQI、RSSI、またはそれらの組合せのうちの少なくとも1つの指示を受信することを含む。場合によっては、第2のワイヤレスノードの送信ビームと第2のワイヤレスノードの受信ビームとの間の対応の範囲の指示を受信することは、PBCH、ePBCH、RACHメッセージ、PDCCH、PUCCH、RRCメッセージ、MIB、またはSIBのうちの少なくとも1つを介して指示を受信することを含む。
【０１３０】
対応構成要素725は、第1のワイヤレスノードにおいて、1つまたは複数の信号に基づいて、第1のワイヤレスノードの送信ビームおよび第1のワイヤレスノードの受信ビームのうちの少なくとも1つの間、または第2のワイヤレスノードの送信ビームと第2のワイヤレスノードの受信ビームとの間の対応の範囲を決定することと、第2のワイヤレスノードから、第2のワイヤレスノードの送信経路および受信経路に関連する較正値の範囲を示す信号を受信することとができる。場合によっては、対応の範囲は、全対応、部分的な対応、または対応なしを含む。
【０１３１】
場合によっては、対応構成要素725は、第2のワイヤレスノードの送信ビームと第2のワイヤレスノードの受信ビームとの間の対応の範囲を決定するために較正値の範囲を使用し得る。場合によっては、較正値の範囲は、アンテナ重みの振幅誤差の範囲、アンテナ重みの位相誤差の範囲、またはそれらの組合せのうちの少なくとも1つを含む。場合によっては、較正値の範囲は少なくとも、送信経路および受信経路に関連するアンテナ重みの振幅誤差の間の差、送信経路および受信経路に関連するアンテナ重みの位相誤差の間の差、またはそれらの組合せを含む。
【０１３２】
場合によっては、対応構成要素725は、第2のワイヤレスノードの送信ビームと第2のワイヤレスノードの受信ビームとの間の対応の範囲を決定するためにDL品質およびUL品質を使用し得る。場合によっては、対応の範囲を決定することは、第1のワイヤレスノードの送信ビームおよび第1のワイヤレスノードの受信ビームのインデックスの間の差、または第2のワイヤレスノードの受信ビームおよび第2のワイヤレスノードの送信ビームのうちの少なくとも1つのインデックスの間の差を決定することを含む。場合によっては、第1のワイヤレスノードの送信ビームは、第1のワイヤレスノードの他の送信ビームよりも高い品質に関連付けられ、第1のワイヤレスノードの受信ビームは、第1のワイヤレスノードの他の受信ビームよりも高い品質に関連付けられる。
【０１３３】
リンク品質構成要素730は、第1のワイヤレスノードにおいて、第2のワイヤレスノードの送信ビームおよび第1のワイヤレスノードの受信ビームを含むULビームペア上での送信のUL品質を決定し得る。場合によっては、UL品質を決定することは、ULビームペア上での送信のRSRP、またはRSRQ、またはSNR、またはSINR、またはCQI、またはRSSI、またはそれらの組合せのうちの少なくとも1つを決定することを含む。場合によっては、第1のワイヤレスノードおよび第2のワイヤレスノードは、送信ビームおよび受信ビームに対して同様のビーム形状を適用し得る。場合によっては、同様のビーム形状は、送信ビームおよび受信ビームがアンテナ素子、またはビーム幅、または同じ方向への向き、またはそれらの組合せの同じセットを使用することを示す。
【０１３４】
ビームマッピング構成要素735は、決定された差に基づいてビームマッピングのための不確実性領域を決定し得る。場合によっては、対応の範囲は、不確実性領域の広さに対応する。ハンドオーバ構成要素740は、ハンドオーバ手順を実行し得る。場合によっては、第2のワイヤレスノードの送信ビームと第2のワイヤレスノードの受信ビームとの間の対応の範囲の指示を受信することは、ハンドオーバ手順の一部として指示を受信することを含む。場合によっては、ハンドオーバ手順は、後方ハンドオーバ手順または前方ハンドオーバ手順のいずれかである。
【０１３５】
ビーム掃引範囲構成要素745は、対応の範囲およびトリガリングイベントに基づいて実行されるべきビーム掃引の範囲を決定し得る。場合によっては、複数の同時通信リンクの各々に関して実行されるべきビーム掃引の範囲が異なる。イベントトリガ構成要素750は、イベントトリガを識別し得る。場合によっては、トリガリングイベントは、持続時間がしきい値を上回るDRXサイクルから接続モードで立ち上がることを含む。場合によっては、トリガリングイベントは、送信または受信サブアレイの変更を含む。追加または代替として、トリガリングイベントは、第1のワイヤレスノードまたは第2のワイヤレスノードのいずれかの温度がしきい値を超えて変化していることを識別することを含み得る。
【０１３６】
図8は、本開示の様々な態様による、ビーム対応の範囲を決定し示すことをサポートするワイヤレス通信において使用する装置805のブロック図800を示す。装置805は、たとえば、図1、図5、および図6を参照しながら上記で説明したようなワイヤレスデバイス505、ワイヤレスデバイス605、またはUE115の構成要素の例であり得るか、またはそれらの構成要素を含み得る。装置805は、UEビーム対応マネージャ815と、プロセッサ820と、メモリ825と、ソフトウェア830と、トランシーバ835と、アンテナ840と、I/Oコントローラ845とを含む、通信を送信および受信するための構成要素を含む、双方向音声およびデータ通信のための構成要素を含み得る。これらの構成要素は、1つまたは複数のバス(たとえば、バス810)を介して電子通信していることがある。装置805は、1つまたは複数の基地局105とワイヤレス通信し得る。
【０１３７】
プロセッサ820は、インテリジェントハードウェアデバイス(たとえば、汎用プロセッサ、デジタル信号プロセッサ(DSP)、中央処理装置(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ820は、メモリコントローラを使用してメモリアレイを動作させるように構成され得る。他の場合には、メモリコントローラは、プロセッサ820に統合され得る。プロセッサ820は、様々な機能(たとえば、ワイヤレスノードにおけるビーム対応の範囲を示すことをサポートする機能またはタスク)を実行するためにメモリに記憶されたコンピュータ可読命令を実行するように構成され得る。
【０１３８】
メモリ825は、ランダムアクセスメモリ(RAM)および読取り専用メモリ(ROM)を含み得る。メモリ825は、実行されると、本明細書で説明する様々な機能をプロセッサに実行させる命令を含む、コンピュータ可読、コンピュータ実行可能ソフトウェア830を記憶し得る。場合によっては、メモリ825は、特に、周辺構成要素またはデバイスとの相互作用など、基本的ハードウェアおよび/またはソフトウェア動作を制御し得る基本入出力システム(BIOS)を含み得る。
【０１３９】
ソフトウェア830は、ワイヤレスノードにおけるビーム対応の範囲を示すことをサポートするためのコードを含む、本開示の態様を実装するためのコードを含み得る。ソフトウェア830は、システムメモリまたは他のメモリなどの非一時的コンピュータ可読媒体に記憶され得る。場合によっては、ソフトウェア830は、プロセッサによって直接実行可能ではないことがあるが、(たとえば、コンパイルされ、実行されると)本明細書で説明する機能をコンピュータに実行させ得る。
【０１４０】
トランシーバ835は、上記で説明したように、1つまたは複数のアンテナ、ワイヤードリンク、またはワイヤレスリンクを介して双方向に通信し得る。たとえば、トランシーバ835は、ワイヤレストランシーバを表してよく、別のワイヤレストランシーバと双方向に通信してよい。トランシーバ835はまた、パケットを変調し、変調されたパケットを送信のためにアンテナに与え、アンテナから受信されたパケットを復調するためのモデムを含み得る。
【０１４１】
場合によっては、ワイヤレスデバイスは単一のアンテナ840を含み得る。しかしながら、場合によっては、デバイスは、複数のワイヤレス送信を同時に送信または受信することが可能であり得る2つ以上のアンテナ840を有し得る。I/Oコントローラ845は、装置805のための入力および出力信号を管理し得る。I/Oコントローラ845はまた、装置805に統合されていない周辺装置を管理し得る。場合によっては、I/Oコントローラ845は、外部周辺装置への物理接続またはポートを表すことがある。場合によっては、I/Oコントローラ845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。
【０１４２】
図9は、本開示の様々な態様による、ビーム対応の範囲を決定し示すことをサポートするワイヤレス通信において使用する装置905のブロック図900を示す。装置905は、たとえば、図1、図5、および図6を参照しながら上記で説明したようなワイヤレスデバイス505、ワイヤレスデバイス605、または基地局105の構成要素の例であり得るか、またはそれらの構成要素を含み得る。装置905は、基地局ビーム対応マネージャ915と、プロセッサ920と、メモリ925と、ソフトウェア930と、トランシーバ935と、アンテナ940と、ネットワーク通信マネージャ945と、基地局通信マネージャ950とを含む、通信を送信および受信するための構成要素を含む、双方向音声およびデータ通信のための構成要素を含み得る。これらの構成要素は、1つまたは複数のバス(たとえば、バス910)を介して電子通信していることがある。装置905は、1つまたは複数のUE115および基地局105とワイヤレス通信し得る。
【０１４３】
プロセッサ920は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ920は、メモリコントローラを使用してメモリアレイを動作させるように構成され得る。他の場合には、メモリコントローラは、プロセッサ920に統合され得る。プロセッサ920は、様々な機能(たとえば、ワイヤレスノードにおけるビーム対応の範囲を示すことをサポートする機能またはタスク)を実行するためにメモリに記憶されたコンピュータ可読命令を実行するように構成され得る。
【０１４４】
メモリ925は、RAMおよびROMを含み得る。メモリ925は、実行されると、本明細書で説明する様々な機能をプロセッサに実行させる命令を含む、コンピュータ可読、コンピュータ実行可能ソフトウェア930を記憶し得る。場合によっては、メモリ925は、特に、周辺構成要素またはデバイスとの相互作用など、基本的ハードウェアおよび/またはソフトウェア動作を制御し得るBIOSを含み得る。
【０１４５】
ソフトウェア930は、ワイヤレスノードにおけるビーム対応の範囲を示すことをサポートするためのコードを含む、本開示の態様を実装するためのコードを含み得る。ソフトウェア930は、システムメモリまたは他のメモリなどの非一時的コンピュータ可読媒体に記憶され得る。場合によっては、ソフトウェア930は、プロセッサによって直接実行可能ではないことがあるが、(たとえば、コンパイルされ、実行されると)本明細書で説明する機能をコンピュータに実行させ得る。
【０１４６】
トランシーバ935は、上記で説明したように、1つまたは複数のアンテナ、ワイヤードリンク、またはワイヤレスリンクを介して双方向に通信し得る。たとえば、トランシーバ935は、ワイヤレストランシーバを表してよく、別のワイヤレストランシーバと双方向に通信してよい。トランシーバ935はまた、パケットを変調し、変調されたパケットを送信のためにアンテナに与え、アンテナから受信されたパケットを復調するためのモデムを含み得る。
【０１４７】
場合によっては、ワイヤレスデバイスは単一のアンテナ940を含み得る。しかしながら、場合によっては、デバイスは、複数のワイヤレス送信を同時に送信または受信することが可能であり得る2つ以上のアンテナ940を有し得る。ネットワーク通信マネージャ945は、(たとえば、1つまたは複数のワイヤードバックホールリンクを介して)コアネットワークとの通信を管理し得る。たとえば、ネットワーク通信マネージャ945は、1つまたは複数のUE115などのクライアントデバイスのためのデータ通信の転送を管理し得る。
【０１４８】
基地局通信マネージャ950は、他の基地局105との通信を管理することがあり、他の基地局105と協調してUE115との通信を制御するためのコントローラまたはスケジューラを含むことがある。たとえば、基地局通信マネージャ950は、ビームフォーミングまたはジョイント送信などの様々な干渉緩和技法のために、UE115への送信のためのスケジューリングを協調させ得る。いくつかの例では、基地局通信マネージャ950は、基地局105間で通信を行うために、LTE/LTE-Aワイヤレス通信ネットワーク技術内のX2インターフェースを提供し得る。
【０１４９】
図10は、本開示の様々な態様による、ビーム対応の範囲を決定し示すことをサポートする方法1000を示す。方法1000の動作は、本明細書で説明したようなUE115または基地局105またはその構成要素によって実施され得る。たとえば、方法1000の動作は、図5〜図7を参照しながら説明したように、ビーム対応マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１５０】
ブロック1005において、UE115または基地局105は、第1のワイヤレスノードと第2のワイヤレスノードとの間で1つまたは複数の信号を交換し得る。いくつかの例では、ブロック1005の動作の態様は、図6および図7を参照しながら説明したように、通信交換構成要素によって実行され得る。
【０１５１】
ブロック1010において、UE115または基地局105は、第1のワイヤレスノード(すなわち、UE115または基地局105)において、1つまたは複数の信号に少なくとも部分的に基づいて、第1のワイヤレスノードの送信ビームおよび第1のワイヤレスノードの受信ビームのうちの少なくとも1つの間の対応の範囲を決定し得る。追加または代替として、場合によっては、UE115または基地局105は、第2のワイヤレスノード(すなわち、UE115または基地局105)の送信ビームと第2のワイヤレスノードの受信ビームとの間の対応の範囲を決定し得る。いくつかの例では、ブロック1010の動作の態様は、図6および図7を参照しながら説明したように、対応構成要素によって実行され得る。
【０１５２】
図11は、本開示の様々な態様による、ビーム対応の範囲を決定し示すことをサポートする方法1100を示す。方法1100の動作は、本明細書で説明したようなUE115または基地局105またはその構成要素によって実施され得る。たとえば、方法1100の動作は、図5〜図7を参照しながら説明したように、ビーム対応マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１５３】
ブロック1105において、UE115または基地局105は、第1のワイヤレスノードと第2のワイヤレスノードとの間で1つまたは複数の信号を交換し得る。ブロック1105の動作は、図10を参照しながら説明した方法に従って実行され得る。いくつかの例では、ブロック1105の動作の態様は、図6および図7を参照しながら説明したように、通信交換構成要素によって実行され得る。
【０１５４】
ブロック1110において、UE115または基地局105は、第1のワイヤレスノード(すなわち、UE115または基地局105)において、1つまたは複数の信号に少なくとも部分的に基づいて、第1のワイヤレスノードの送信ビームおよび第1のワイヤレスノードの受信ビームのうちの少なくとも1つの間の対応の範囲を決定し得る。ブロック1110の動作は、図10を参照しながら説明した方法に従って実行され得る。いくつかの例では、ブロック1110の動作の態様は、図6および図7を参照しながら説明したように、対応構成要素によって実行され得る。
【０１５５】
ブロック1115において、UE115または基地局105は、第2のワイヤレスノード(すなわち、UE115または基地局105)から、第2のワイヤレスノードの送信経路および受信経路に関連する較正値の範囲を示す信号を受信し得る。いくつかの例では、ブロック1115の動作の態様は、図6および図7を参照しながら説明したように、対応構成要素によって実行され得る。
【０１５６】
ブロック1120において、UE115または基地局105は、第2のワイヤレスノードの送信ビームと第2のワイヤレスノードの受信ビームとの間の対応の範囲を決定するために較正値の範囲を使用し得る。いくつかの例では、ブロック1120の動作の態様は、図6および図7を参照しながら説明したように、対応構成要素によって実行され得る。
【０１５７】
図12は、本開示の様々な態様による、ビーム対応の範囲を決定し示すことをサポートする方法1200を示す。方法1200の動作は、本明細書で説明したようなUE115または基地局105またはその構成要素によって実施され得る。たとえば、方法1200の動作は、図5〜図7を参照しながら説明したように、ビーム対応マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１５８】
ブロック1205において、UE115または基地局105は、第1のワイヤレスノードと第2のワイヤレスノードとの間で1つまたは複数の信号を交換し得る。ブロック1205の動作は、図10および図11を参照しながら説明した方法に従って実行され得る。いくつかの例では、ブロック1205の動作の態様は、図6および図7を参照しながら説明したように、通信交換構成要素によって実行され得る。
【０１５９】
ブロック1210において、UE115または基地局105は、第2のワイヤレスノードから、第1のワイヤレスノード(すなわち、UE115または基地局105)の送信ビームおよび第2のワイヤレスノード(すなわち、UE115または基地局105)の受信ビームを含むDLビームペア上での送信のDL品質を示す信号を受信し得る。いくつかの例では、ブロック1210の動作の態様は、図6および図7を参照しながら説明したように、通信交換構成要素によって実行され得る。
【０１６０】
ブロック1215において、UE115または基地局105は、第1のワイヤレスノードにおいて、第2のワイヤレスノード(すなわち、UE115または基地局105)の送信ビームおよび第1のワイヤレスノード(すなわち、UE115または基地局105)の受信ビームを含むULビームペア上での送信のUL品質を決定し得る。いくつかの例では、ブロック1215の動作の態様は、図7を参照しながら説明したように、リンク品質構成要素によって実行され得る。
【０１６１】
ブロック1220において、UE115または基地局105は、第1のワイヤレスノード(すなわち、UE115または基地局105)において、1つまたは複数の信号に少なくとも部分的に基づいて、第1のワイヤレスノードの送信ビームおよび第1のワイヤレスノードの受信ビームのうちの少なくとも1つの間の対応の範囲を決定し得る。いくつかの例では、UE115または基地局105は、第2のワイヤレスノードの送信ビームと第2のワイヤレスノードの受信ビームとの間の対応の範囲を決定するためにDL品質またはUL品質を使用し得る。いくつかの例では、ブロック1220の動作の態様は、図6および図7を参照しながら説明したように、対応構成要素によって実行され得る。
【０１６２】
図13は、本開示の様々な態様による、ビーム対応の範囲を決定し示すことをサポートする方法1300を示す。方法1300の動作は、本明細書で説明したようなUE115または基地局105またはその構成要素によって実施され得る。たとえば、方法1300の動作は、図5〜図7を参照しながら説明したように、ビーム対応マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１６３】
ブロック1305において、UE115または基地局105は、第1のワイヤレスノードと第2のワイヤレスノードとの間で1つまたは複数の信号を交換し得る。ブロック1305の動作は、図10〜図12を参照しながら説明した方法に従って実行され得る。いくつかの例では、ブロック1305の動作の態様は、図6および図7を参照しながら説明したように、通信交換構成要素によって実行され得る。
【０１６４】
ブロック1310において、UE115または基地局105は、第1のワイヤレスノード(すなわち、UE115または基地局105)において、1つまたは複数の信号に少なくとも部分的に基づいて、第1のワイヤレスノードの送信ビームおよび第1のワイヤレスノードの受信ビームのうちの少なくとも1つの間の対応の範囲を決定し得る。追加または代替として、UE115または基地局105は、第2のワイヤレスノード(すなわち、UE115または基地局105)の送信ビームと第2のワイヤレスノードの受信ビームとの間の対応の範囲を決定し得る。ブロック1310の動作は、図10〜図12を参照しながら説明した方法に従って実行され得る。いくつかの例では、ブロック1310の動作の態様は、図6および図7を参照しながら説明したように、対応構成要素によって実行され得る。
【０１６５】
ブロック1315において、UE115または基地局105は、第2のワイヤレスノード(すなわち、UE115または基地局105)から、第2のワイヤレスノードの送信ビームと第2のワイヤレスノードの受信ビームとの間の対応の範囲の指示を受信し得る。いくつかの例では、ブロック1315の動作の態様は、図6および図7を参照しながら説明したように、通信交換構成要素によって実行され得る。
【０１６６】
図14は、本開示の様々な態様による、ビーム対応の範囲を決定し示すことをサポートする方法1400を示す。方法1400の動作は、本明細書で説明したようなUE115または基地局105またはその構成要素によって実施され得る。たとえば、方法1400の動作は、図5〜図7を参照しながら説明したように、ビーム対応マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１６７】
ブロック1405において、UE115または基地局105は、第1のワイヤレスノードと第2のワイヤレスノードとの間で1つまたは複数の信号を交換し得る。ブロック1405の動作は、図10〜図13を参照しながら説明した方法に従って実行され得る。いくつかの例では、ブロック1405の動作の態様は、図6および図7を参照しながら説明したように、通信交換構成要素によって実行され得る。
【０１６８】
ブロック1410において、UE115または基地局105は、第1のワイヤレスノード(すなわち、UE115または基地局105)において、1つまたは複数の信号に少なくとも部分的に基づいて、第1のワイヤレスノードの送信ビームおよび第1のワイヤレスノードの受信ビームのうちの少なくとも1つの間の対応の範囲を決定し得る。追加または代替として、UE115または基地局105は、第2のワイヤレスノード(すなわち、UE115または基地局105)の送信ビームと第2のワイヤレスノードの受信ビームとの間の対応の範囲を決定し得る。ブロック1410の動作は、図10〜図13を参照しながら説明した方法に従って実行され得る。いくつかの例では、ブロック1410の動作の態様は、図7を参照しながら説明したように、対応構成要素によって実行され得る。
【０１６９】
ブロック1415において、UE115または基地局105は、対応の範囲およびトリガリングイベントに少なくとも部分的に基づいて実行されるべきビーム掃引の範囲を決定し得る。いくつかの例では、ブロック1415の動作の態様は、図7を参照しながら説明したように、ビーム掃引範囲構成要素によって実行され得る。
【０１７０】
いくつかの例では、方法1000、1100、1200、1300、または1400のうちの2つ以上からの態様が組み合わせられてよい。方法1000、1100、1200、1300、または1400は例示的な実装形態にすぎず、方法1000、1100、1200、1300、または1400の動作は、他の実装形態が可能であるように並べ替えられるか、または他の方法で修正されてもよいことに留意されたい。
【０１７１】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、ユニバーサル地上波無線アクセス(UTRA)などの無線技術を実装し得る。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、広帯域CDMA(WCDMA(登録商標))およびCDMAの他の変形を含む。時分割多元接続(TDMA)システムは、モバイル通信用グローバルシステム(GSM(登録商標))などの無線技術を実装し得る。
【０１７２】
直交周波数分割多元接続(OFDMA)システムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションズシステム(UMTS)の一部である。3GPPロングタームエボリューション(LTE)およびLTEアドバンスト(LTE-A)は、E-UTRAを使用するユニバーサルモバイルテレコミュニケーションズシステム(UMTS)のリリースである。UTRA、E-UTRA、UMTS、LTE、LTE-A、NR、およびモバイル通信用グローバルシステム(GSM(登録商標))は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術、ならびに他のシステムおよび無線技術のために使用され得る。LTEまたはNRシステムの態様が例として説明されることがあり、説明の大部分においてLTEまたはNR用語が使用されることがあるが、本明細書で説明する技法はLTEまたはNR適用例以外に適用可能である。
【０１７３】
本明細書で説明するそのようなネットワークを含むLTE/LTE-Aネットワークでは、発展型ノードB(eNB)という用語は一般に、基地局を表すために使用され得る。本明細書で説明する1つまたは複数のワイヤレス通信システムは、異なるタイプの発展型ノードB(eNB)が様々な地理的領域にカバレージを提供する異種LTE/LTE-AまたはNRネットワークを含み得る。たとえば、各eNB、gNBまたは基地局は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る。
【０１７４】
基地局は、基地トランシーバ局、無線基地局、アクセスポイント、無線トランシーバ、ノードB、eノードB(eNB)、次世代ノードB(gNB)、ホームノードB、ホームeノードB、もしくは何らかの他の好適な用語を含んでよく、またはそのように当業者によって呼ばれることがある。基地局のための地理的カバレージエリアは、カバレージエリアの一部分のみを構成するセクタに分割され得る。本明細書で説明する1つまたは複数のワイヤレス通信システムは、異なるタイプの基地局(たとえば、マクロセル基地局またはスモールセル基地局)を含み得る。本明細書で説明するUEは、マクロeNB、スモールセルeNB、gNB、中継基地局などを含む、様々なタイプの基地局およびネットワーク機器と通信することが可能であり得る。異なる技術に対して重複する地理的カバレージエリアがあり得る。
【０１７５】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと同じまたはマクロセルとは異なる(たとえば、認可、無認可などの)周波数帯域で動作し得る、マクロセルと比較して低電力基地局である。スモールセルは、様々な例によれば、ピコセル、フェムトセル、およびマイクロセルを含む場合がある。ピコセルは、たとえば、小さい地理的エリアをカバーすることがあり、ネットワークプロバイダのサービスに加入しているUEによる無制限アクセスを可能にし得る。フェムトセルも、小さい地理的エリア(たとえば、自宅)をカバーすることがあり、フェムトセルとの関連性を有するUE(たとえば、CSGの中のUE、自宅内のユーザのためのUEなど)による制限付きアクセスを提供し得る。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートし得る。
【０１７６】
本明細書で説明する1つまたは複数のワイヤレス通信システムは、同期動作または非同期動作をサポートし得る。同期動作の場合、基地局は、同様のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明する技法は、同期動作または非同期動作のいずれかのために使用され得る。
【０１７７】
本明細書で説明するDL送信は、順方向リンク送信と呼ばれることもあり、UL送信は、逆方向リンク送信と呼ばれることもある。たとえば、図1および図2のワイヤレス通信システム100および200を含む、本明細書で説明する各通信リンクは、1つまたは複数のキャリアを含んでよく、各キャリアは、複数のサブキャリア(たとえば、異なる周波数の波形信号)から構成される信号であり得る。
【０１７８】
添付の図面に関して本明細書に記載された説明は、例示的な構成について説明しており、実装され得るまたは特許請求の範囲内に入るすべての例を表すとは限らない。本明細書で使用する「例示的」という用語は、「例、事例、または例示として働く」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践されてよい。いくつかの事例では、説明した例の概念を不明瞭にすることを回避するために、よく知られている構造およびデバイスがブロック図の形態で示される。
【０１７９】
添付の図では、同様の構成要素または特徴は、同じ参照ラベルを有する場合がある。さらに、同じタイプの様々な構成要素は、参照ラベルの後に、ダッシュと、同様の構成要素の間で区別する第2のラベルとを続けることによって区別される場合がある。第1の参照ラベルのみが本明細書で使用される場合、説明は、第2の参照ラベルにかかわらず、同じ第1の参照ラベルを有する同様の構成要素のうちのいずれか1つに適用可能である。本明細書で説明する情報および信号は、多種多様な技術および技法のいずれかを使用して表されてよい。たとえば、上記の説明全体にわたって言及される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０１８０】
本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１８１】
本明細書で説明する機能は、ハードウェア、プロセッサによって実行されるソフトウェア、ファームウェア、またはそれらの任意の組合せで実装されてよい。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示の範囲内および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。また、特許請求の範囲内を含む本明細書で使用する場合、項目のリスト(たとえば、「のうちの少なくとも1つ」または「のうちの1つまたは複数」などの句で終わる項目のリスト)内で使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるものではない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈されるものとする。
【０１８２】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用コンピュータもしくは専用コンピュータまたは汎用プロセッサもしくは専用プロセッサによってアクセスされ得る任意の他の非一時的媒体を含むことができる。また、任意の接続が、適正にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記のものの組合せも、コンピュータ可読媒体の範囲内に含まれる。
【０１８３】
本明細書での説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書で説明する例および設計に限定されず、本明細書で開示する原理および新規の特徴と一致する最も広い範囲を与えられるべきである。
【符号の説明】
【０１８４】
100  ワイヤレス通信システム
105  基地局
105-a  基地局
105-b  基地局
105-c  基地局
105-d  基地局
105-e  基地局
110  地理的カバレージエリア
110-a  地理的カバレージエリア
110-b  地理的カバレージエリア
115  UE
115-a  UE
115-b  UE
115-c  UE
115-d  UE
115-e  UE
125  通信リンク、ワイヤレスリンク
130  コアネットワーク
132  バックホールリンク
134  バックホールリンク
200  ワイヤレス通信システム
205-a  DL送信ビーム、ビーム
205-b  DL送信ビーム、ビーム、ベースビーム
205-c  DL送信ビーム、ビーム
205-d  DL送信ビーム、ビーム
300  ワイヤレス通信システム
305-a  ビーム、近隣ビーム、UL送信ビーム
305-b  ビーム、UL送信ビーム
305-c  近隣ビーム、ビーム、UL送信ビーム
305-d  ビーム、UL送信ビーム
400  プロセスフロー
400-a  プロセスフロー
400-b  プロセスフロー
400-c  プロセスフロー
405-a  送信信号
500  ブロック図
505  ワイヤレスデバイス
510  受信機
515  ビーム対応マネージャ
520  送信機
600  ブロック図
605  ワイヤレスデバイス
610  受信機
615  ビーム対応マネージャ
620  送信機
625  通信交換構成要素
630  対応構成要素
700  ブロック図
715  ビーム対応マネージャ
720  通信交換構成要素
725  対応構成要素
730  リンク品質構成要素
735  ビームマッピング構成要素
740  ハンドオーバ構成要素
745  ビーム掃引範囲構成要素
750  イベントトリガ構成要素
800  ブロック図
805  装置
810  バス
815  UEビーム対応マネージャ
820  プロセッサ
825  メモリ
830  ソフトウェア、コンピュータ可読、コンピュータ実行可能ソフトウェア
835  トランシーバ
840  アンテナ
845  I/Oコントローラ
900  ブロック図
905  装置
910  バス
915  基地局ビーム対応マネージャ
920  プロセッサ
925  メモリ
930  ソフトウェア、コンピュータ可読、コンピュータ実行可能ソフトウェア
935  トランシーバ
940  アンテナ
945  ネットワーク通信マネージャ
950  基地局通信マネージャ
1000  方法
1100  方法
1200  方法
1300  方法
1400  方法
【図１】
2019533948.tif 000008
【図２】
2019533948.tif 000009
【図３】
2019533948.tif 000010
【図４Ａ】
2019533948.tif 000011
【図４Ｂ】
2019533948.tif 000012
【図４Ｃ】
2019533948.tif 000013
【図５】
2019533948.tif 000014
【図６】
2019533948.tif 000015
【図７】
2019533948.tif 000016
【図８】
2019533948.tif 000017
【図９】
2019533948.tif 000018
【図１０】
2019533948.tif 000019
【図１１】
2019533948.tif 000020
【図１２】
2019533948.tif 000021
【図１３】
2019533948.tif 000022
【図１４】
2019533948.tif 000023
【国際調査報告】
2019533948.tif 000024
2019533948.tif 000025
2019533948.tif 000026